(57)【要約】      （修正有）【課題】ＣＳＩ（Ｃｈａｎｎｅｌ  Ｓｔａｔｅ  Ｉｎｆｏｒｍａｔｉｏｎ）報告を効率的に実行する基地局装置、端末装置、通信方法及び集積回路を提供する。【解決手段】端末装置は、１つ又は複数の第１の設定を含む第１の情報、１つ又は複数の第２の設定を含む第２の情報、１つ又は複数の第３の設定を含む第３の情報及び第４の情報を受信し、チャネル状態情報を測定し報告する。第１の設定は、それぞれ１つの第１のインデックスを含むチャネル状態情報の１つ又は複数の報告のための設定である。第２の設定は、それぞれ１つの第２のインデックスを含むチャネル状態情報を測定するための１つ又は複数の参照信号に関する設定である。第３の設定は、第１のインデックスのうち１つのインデックスと、第２のインデックスのうち１つのインデックスと、１つの第３のインデックスと、を含む。第４の情報は、第３のインデックスの１つ又は複数を示す情報を含む。【選択図】図１
2020031249.tif 000002
【特許請求の範囲】
【請求項１】
基地局装置と通信する端末装置であって、
１つまたは複数の第１の設定を含む第１の情報を受信し、
１つまたは複数の第２の設定を含む第２の情報を受信し、
１つまたは複数の第３の設定を含む第３の情報を受信し、
第４の情報を受信する受信部と、
チャネル状態情報を測定するチャネル状態測定部と、
前記チャネル状態情報を報告する送信部と、を備え、
前記第１の設定は、前記チャネル状態情報の１つまたは複数の報告のための設定であり、
前記１つまたは複数の報告のための設定のそれぞれは、１つの第１のインデックスを含み、
前記第２の設定は、前記チャネル状態情報を測定するための１つまたは複数の参照信号に関する設定であり、
前記１つまたは複数の参照信号に関する設定のそれぞれは、１つの第２のインデックスを含み、
前記第３の設定は、前記第１のインデックスのうち１つのインデックスと、前記第２のインデックスのうち１つのインデックスと、１つの第３のインデックスと、を含み、
前記第４の情報は、前記第３のインデックスの１つまたは複数を示す情報を含む
端末装置。
【請求項２】
前記第４の情報に含まれる１つまたは複数の前記第３のインデックスに基づいて１つまたは複数の前記第３の設定を特定し、前記特定された１つまた複数の前記第３の設定に基づいて１つまたは複数の第１の設定と１つまたは複数の前記第２の設定を特定し、前記特定された１つまたは複数の第１の設定と１つまたは複数の前記第２の設定に基づいて１つまたは複数のチャネル状態情報報告を送信する
請求項１記載の端末装置。
【請求項３】
前記１つまたは複数のチャネル状態情報報告は、物理層における手続きで送信される
請求項２記載の端末装置。
【請求項４】
前記送信部は、
前記チャネル状態情報に前記第３のインデックスの１つを含んで送信する
請求項１記載の端末装置。
【請求項５】
前記受信部は、さらに
１つまたは複数の第４の設定を含む第５の情報と、第６の情報を受信し、
前記第４の設定は、前記チャネル状態情報を測定するための１つまたは複数の干渉測定リソースに関する設定であり、
前記１つまたは複数の干渉測定リソースに関する設定のそれぞれは、１つの第４のインデックスを含み、
前記第３の設定は、さらに前記第４のインデックスのうち１つのインデックスと、を含む
請求項１に記載の端末装置。
【請求項６】
端末装置と通信する基地局装置であって、
１つまたは複数の第１の設定を含む第１の情報を送信し、
１つまたは複数の第２の設定を含む第２の情報を送信し、
１つまたは複数の第３の設定を含む第３の情報を送信し、
第４の情報を送信する送信部と、
チャネル状態情報を受信するチャネル受信部と、を備え、
前記第１の設定は、前記チャネル状態情報の１つまたは複数の報告のための設定であり、
前記１つまたは複数の報告のための設定のそれぞれは、１つの第１のインデックスを含み、
前記第２の設定は、前記チャネル状態情報を測定するための１つまたは複数の参照信号に関する設定であり、
前記１つまたは複数の参照信号に関する設定のそれぞれは、１つの第２のインデックスを含み、
前記第３の設定は、前記第１のインデックスのうち１つのインデックスと、前記第２のインデックスのうち１つのインデックスと、１つの第３のインデックスと、を含み、
前記第４の情報は、前記第３のインデックスの１つまたは複数を示す情報を含む
基地局装置。
【請求項７】
前記第４の情報に含まれる１つまたは複数の第３のインデックスに基づいて１つまたは複数の前記第３の設定に基づく１つまたは複数のチャネル状態情報報告を受信する
請求項６記載の基地局装置。
【請求項８】
前記１つまたは複数のチャネル状態情報報告は、物理層における手続きで受信される
請求項７記載の基地局装置。
【請求項９】
前記チャネル状態情報は、前記第３のインデックスの１つを含む
請求項６記載の基地局装置。
【請求項１０】
前記送信部は、さらに
１つまたは複数の第４の設定を含む第５の情報と、第６の情報を送信し、
前記第４の設定は、前記チャネル状態情報を測定するための１つまたは複数の干渉測定リソースに関する設定であり、
前記１つまたは複数の干渉測定リソースに関する設定のそれぞれは、１つの第４のインデックスを含み、
前記第３の設定は、さらに前記第４インデックスのうちの１つのインデックスと、を含む
請求項６に記載の基地局装置。
【請求項１１】
基地局装置と通信する端末装置の通信方法であって、
１つまたは複数の第１の設定を含む第１の情報を受信し、
１つまたは複数の第２の設定を含む第２の情報を受信し、
１つまたは複数の第３の設定を含む第３の情報を受信し、
第４の情報を受信し、
チャネル状態情報を測定し、
前記チャネル状態情報を報告し、
前記第１の設定は、前記チャネル状態情報の１つまたは複数の報告のための設定であり、
前記１つまたは複数の報告のための設定のそれぞれは、１つの第１のインデックスを含み、
前記第２の設定は、前記チャネル状態情報を測定するための１つまたは複数の参照信号に関する設定であり、
前記１つまたは複数の参照信号に関する設定のそれぞれは、１つの第２のインデックスを含み、
前記第３の設定は、前記第１のインデックスのうち１つのインデックスと、前記第２のインデックスのうち１つのインデックスと、１つの第３のインデックスと、を含み、
前記第４の情報は、前記第３のインデックスの１つまたは複数を示す情報を含む
通信方法。
【請求項１２】
端末装置と通信する基地局装置の通信方法であって、
１つまたは複数の第１の設定を含む第１の情報を送信し、
１つまたは複数の第２の設定を含む第２の情報を送信し、
１つまたは複数の第３の設定を含む第３の情報を送信し、
第４の情報を送信し、
チャネル状態情報を受信し、
前記第１の設定は、前記チャネル状態情報の１つまたは複数の報告のための設定であり、
前記１つまたは複数の報告のための設定のそれぞれは、１つの第１のインデックスを含み、
前記第２の設定は、前記チャネル状態情報を測定するための１つまたは複数の参照信号に関する設定であり、
前記１つまたは複数の参照信号に関する設定のそれぞれは、１つの第２のインデックスを含み、
前記第３の設定は、前記第１のインデックスのうち１つのインデックスと、前記第２のインデックスのうち１つのインデックスと、１つの第３のインデックスと、を含み、
前記第４の情報は、前記第３のインデックスの１つまたは複数を示す情報を含む
通信方法。
【請求項１３】
基地局装置と通信する端末装置に実装される集積回路であって、
１つまたは複数の第１の設定を含む第１の情報を受信し、
１つまたは複数の第２の設定を含む第２の情報を受信し、
１つまたは複数の第３の設定を含む第３の情報を受信し、
第４の情報を受信する受信手段と、
チャネル状態情報を測定するチャネル状態測定手段と、
前記チャネル状態情報を報告する送信手段と、を備え、
前記第１の設定は、前記チャネル状態情報の１つまたは複数の報告のための設定であり、
前記１つまたは複数の報告のための設定のそれぞれは、１つの第１のインデックスを含み、
前記第２の設定は、前記チャネル状態情報を測定するための１つまたは複数の参照信号に関する設定であり、
前記１つまたは複数の参照信号に関する設定のそれぞれは、１つの第２のインデックスを含み、
前記第３の設定は、前記第１のインデックスのうち１つのインデックスと、前記第２のインデックスのうち１つのインデックスと、１つの第３のインデックスと、を含み、
前記第４の情報は、前記第３のインデックスの１つまたは複数を示す情報を含む
集積回路。
【請求項１４】
端末装置と通信する基地局装置に実装される集積回路であって、
１つまたは複数の第１の設定を含む第１の情報を送信し、
１つまたは複数の第２の設定を含む第２の情報を送信し、
１つまたは複数の第３の設定を含む第３の情報を送信し、
第４の情報を送信する送信手段と、
チャネル状態情報を受信するチャネル受信手段と、を備え、
前記第１の設定は、前記チャネル状態情報の１つまたは複数の報告のための設定であり、
前記１つまたは複数の報告のための設定のそれぞれは、１つの第１のインデックスを含み、
前記第２の設定は、前記チャネル状態情報を測定するための１つまたは複数の参照信号に関する設定であり、
前記１つまたは複数の参照信号に関する設定のそれぞれは、１つの第２のインデックスを含み、
前記第３の設定は、前記第１のインデックスのうち１つのインデックスと、前記第２のインデックスのうち１つのインデックスと、１つの第３のインデックスと、を含み、
前記第４の情報は、前記第３のインデックスの１つまたは複数を示す情報を含む
集積回路。
【発明の詳細な説明】
【技術分野】
【０００１】
本発明は、基地局装置、端末装置、通信方法、および、集積回路に関する。
【背景技術】
【０００２】
現在、第５世代のセルラーシステムに向けた無線アクセス方式および無線ネットワーク技術として、第三世代パートナーシッププロジェクト（3GPP: The Third Generation Partnership Project）において、LTE（Long Term Evolution）-Advanced Pro及びNR（New Radio technology）の技術検討及び規格策定が行われている（非特許文献１）。
【０００３】
第５世代のセルラーシステムでは、高速・大容量伝送を実現するeMBB（enhanced Mobile BroadBand）、低遅延・高信頼通信を実現するURLLC（Ultra-Reliable and Low Latency
Communication）、IoT（Internet of Things）などマシン型デバイスが多数接続するmMTC（massive Machine Type Communication）の3つがサービスの想定シナリオとして要求されている。
【０００４】
NRでは、高い周波数で多数のアンテナエレメントを用いてビームフォーミングゲインによりカバレッジを確保するマッシブMIMO（Multiple-Input Multiple-Output）の技術検討が行われている（非特許文献２、非特許文献３、非特許文献４）。
【先行技術文献】
【非特許文献】
【０００５】
【非特許文献１】RP-161214 NTT DOCOMO, “Revision of SI: Study on New Radio Access Technology”, 2016年6月
【非特許文献２】R1-162883, Nokia, Alcatel-Lucent Shanghai Bell, “Basic principles for the 5G New Radio access technology”, 2016年4月
【非特許文献３】R1-162380, Intel Corporation, “Overview of antenna technology for new radio interface”, 2016年4月
【非特許文献４】R1-163215, Ericsson, “Overview of NR”, 2016年4月
【発明の概要】
【発明が解決しようとする課題】
【０００６】
本発明の目的は、上記のような無線通信システムにおいて、基地局装置と端末装置が、効率的に端末装置、基地局装置、通信方法、および、集積回路を提供することを目的とする。
【課題を解決するための手段】
【０００７】
（１）上記の目的を達成するために、本発明の態様は、以下のような手段を講じた。すなわち、本発明の一態様における端末装置は、基地局装置と通信する端末装置であって、１つまたは複数の第１の設定を含む第１の情報を受信し、１つまたは複数の第２の設定を含む第２の情報を受信し、１つまたは複数の第３の設定を含む第３の情報を受信し、第４の情報を受信する受信部と、チャネル状態情報を測定するチャネル状態測定部と、前記チャネル状態情報を報告する送信部と、を備え、前記第１の設定は、前記チャネル状態情報の１つまたは複数の報告のための設定であり、前記１つまたは複数の報告のための設定のそれぞれは、１つの第１のインデックスを含み、前記第２の設定は、前記チャネル状態情報を測定するための１つまたは複数の参照信号に関する設定であり、前記１つまたは複数の参照信号に関する設定のそれぞれは、１つの第２のインデックスを含み、前記第３の設定は、前記第１のインデックスのうち１つのインデックスと、前記第２のインデックスの
うち１つのインデックスと、１つの第３のインデックスと、を含み、前記第４の情報は、前記第３のインデックスの１つまたは複数を示す情報を含む。
【０００８】
（２）また、本発明の一態様における端末装置において、前記第４の情報に含まれる１つまたは複数の前記第３のインデックスに基づいて１つまたは複数の前記第３の設定を特定し、前記特定された１つまた複数の前記第３の設定に基づいて１つまたは複数の第１の設定と１つまたは複数の前記第２の設定を特定し、前記特定された１つまたは複数の第１の設定と１つまたは複数の前記第２の設定に基づいて１つまたは複数のチャネル状態情報報告を送信する。
【０００９】
（３）また、本発明の一態様における端末装置において、前記１つまたは複数のチャネル状態情報報告は、物理層における手続きで送信される。
【００１０】
（４）また、本発明の一態様における端末装置において、前記送信部は、前記チャネル状態情報に前記第３のインデックスの１つを含んで送信する。
【００１１】
（５）また、本発明の一態様における端末装置において、前記受信部は、さらに１つまたは複数の第４の設定を含む第５の情報を受信し、第６の情報を受信し、前記第４の設定は、前記チャネル状態情報を測定するための１つまたは複数の干渉測定リソースに関する設定であり、前記１つまたは複数の干渉測定リソースに関する設定のそれぞれは、１つの第４のインデックスを含み、前記第３の設定は、さらに前記第４のインデックスのうち１つのインデックスと、を含む。
【００１２】
（６）また、本発明の一態様における基地局装置は、端末装置と通信する基地局装置であって、１つまたは複数の第１の設定を含む第１の情報を送信し、１つまたは複数の第２の設定を含む第２の情報を送信し、１つまたは複数の第３の設定を含む第３の情報を送信し、第４の情報を送信する送信部と、チャネル状態情報を受信するチャネル受信部と、を備え、前記第１の設定は、前記チャネル状態情報の１つまたは複数の報告のための設定であり、前記１つまたは複数の報告のための設定のそれぞれは、１つの第１のインデックスを含み、前記第２の設定は、前記チャネル状態情報を測定するための１つまたは複数の参照信号に関する設定であり、前記１つまたは複数の参照信号に関する設定のそれぞれは、１つの第２のインデックスを含み、前記第３の設定は、前記第１のインデックスのうち１つのインデックスと、前記第２のインデックスのうち１つのインデックスと、１つの第３のインデックスと、を含み、前記第４の情報は、前記第３のインデックスの１つまたは複数を示す情報を含む。
【００１３】
（７）また、本発明の一態様における基地局装置において、前記第４の情報に含まれる１つまたは複数の前記第３のインデックスに基づいて１つまたは複数の前記第３の設定に基づく１つまたは複数のチャネル状態情報報告を受信する。
【００１４】
（８）また、本発明の一態様における基地局装置において、前記１つまたは複数のチャネル状態情報報告は、物理層における手続きで受信される。
【００１５】
（９）また、本発明の一態様における基地局装置において、前記チャネル状態情報は、前記第３のインデックスの１つを含む。
【００１６】
（１０）また、本発明の一態様における基地局装置において、前記送信部は、さらに１つまたは複数の第４の設定を含む第５の情報と、第６の情報を送信し、前記第４の設定は、前記チャネル状態情報を測定するための１つまたは複数の干渉測定リソースに関する設定であり、前記１つまたは複数の干渉測定リソースに関する設定のそれぞれは、１つの第
３のインデックスを含み、前記第３の設定は、さらに前記第４インデックスのうちの１つのインデックスと、を含む。
【００１７】
（１１）また、本発明の一態様における通信方法は、基地局装置と通信する端末装置の通信方法であって、１つまたは複数の第１の設定を含む第１の情報を受信し、１つまたは複数の第２の設定を含む第２の情報を受信し、１つまたは複数の第３の設定を含む第３の情報を受信し、第４の情報を受信し、チャネル状態情報を測定し、前記チャネル状態情報を報告し、前記第１の設定は、前記チャネル状態情報の１つまたは複数の報告のための設定であり、前記１つまたは複数の報告のための設定のそれぞれは、１つの第１のインデックスを含み、前記第２の設定は、前記チャネル状態情報を測定するための１つまたは複数の参照信号に関する設定であり、前記１つまたは複数の参照信号に関する設定のそれぞれは、１つの第２のインデックスを含み、前記第３の設定は、前記第１のインデックスのうち１つのインデックスと、前記第２のインデックスのうち１つのインデックスと、１つの第３のインデックスと、を含み、前記第４の情報は、前記第３のインデックスの１つまたは複数を示す情報を含む。
【００１８】
（１２）また、本発明の一態様における通信方法は、端末装置と通信する基地局装置の通信方法であって、１つまたは複数の第１の設定を含む第１の情報を送信し、１つまたは複数の第２の設定を含む第２の情報を送信し、１つまたは複数の第３の設定を含む第３の情報を送信し、第４の情報を送信し、チャネル状態情報を受信し、前記第１の設定は、前記チャネル状態情報の１つまたは複数の報告のための設定であり、前記１つまたは複数の報告のための設定のそれぞれは、１つの第１のインデックスを含み、前記第２の設定は、前記チャネル状態情報を測定するための１つまたは複数の参照信号に関する設定であり、前記１つまたは複数の参照信号に関する設定のそれぞれは、１つの第２のインデックスを含み、前記第３の設定は、前記第１のインデックスのうち１つのインデックスと、前記第２のインデックスのうち１つのインデックスと、１つの第３のインデックスと、を含み、前記第４の情報は、前記第３のインデックスの１つまたは複数を示す情報を含む。
【００１９】
（１３）また、本発明の一態様における集積回路は、基地局装置と通信する端末装置に実装される集積回路であって、１つまたは複数の第１の設定を含む第１の情報を受信し、１つまたは複数の第２の設定を含む第２の情報を受信し、１つまたは複数の第３の設定を含む第３の情報を受信し、第４の情報を受信する受信手段と、チャネル状態情報を測定するチャネル状態測定手段と、前記チャネル状態情報を報告する送信手段と、を備え、前記第１の設定は、前記チャネル状態情報の１つまたは複数の報告のための設定であり、前記１つまたは複数の報告のための設定のそれぞれは、１つの第１のインデックスを含み、前記第２の設定は、前記チャネル状態情報を測定するための１つまたは複数の参照信号に関する設定であり、前記１つまたは複数の参照信号に関する設定のそれぞれは、１つの第２のインデックスを含み、前記第３の設定は、前記第１のインデックスのうち１つのインデックスと、前記第２のインデックスのうち１つのインデックスと、１つの第３のインデックスと、を含み、前記第４の情報は、前記第３のインデックスの１つまたは複数を示す情報を含む。
【００２０】
（１４）また、本発明の一態様における集積回路は、端末装置と通信する基地局装置に実装される集積回路であって、１つまたは複数の第１の設定を含む第１の情報を送信し、１つまたは複数の第２の設定を含む第２の情報を送信し、１つまたは複数の第３の設定を含む第３の情報を送信し、第４の情報を送信する送信手段と、チャネル状態情報を受信するチャネル受信手段と、を備え、前記第１の設定は、前記チャネル状態情報の１つまたは複数の報告のための設定であり、前記１つまたは複数の報告のための設定のそれぞれは、１つの第１のインデックスを含み、前記第２の設定は、前記チャネル状態情報を測定するための１つまたは複数の参照信号に関する設定であり、前記１つまたは複数の参照信号に
関する設定のそれぞれは、１つの第２のインデックスを含み、前記第３の設定は、前記第１のインデックスのうち１つのインデックスと、前記第２のインデックスのうち１つのインデックスと、１つの第３のインデックスと、を含み、前記第４の情報は、前記第３のインデックスの１つまたは複数を示す情報を含む。
【発明の効果】
【００２１】
この発明によれば、基地局装置と端末装置が、効率的に通信することができる。
【図面の簡単な説明】
【００２２】
【図１】本実施形態における無線通信システムの概念を示す図である。
【図２】本実施形態における下りリンクスロットの概略構成の一例を示す図である。
【図３】サブフレーム、スロット、ミニスロットの時間領域における関係を示した図である。
【図４】スロットまたはサブフレームの一例を示す図である。
【図５】ビームフォーミングの一例を示した図である。
【図６】本実施形態における端末装置１の構成を示す概略ブロック図である。
【図７】本実施形態における基地局装置３の構成を示す概略ブロック図である。
【発明を実施するための形態】
【００２３】
以下、本発明の実施形態について説明する。
【００２４】
図１は、本実施形態における無線通信システムの概念図である。図１において、無線通信システムは、端末装置１Ａ〜１Ｃ、および基地局装置３を具備する。以下、端末装置１Ａ〜１Ｃを端末装置１とも称する。
【００２５】
端末装置１は、ユーザ端末、移動局装置、通信端末、移動機、端末、ＵＥ（User Equipment）、ＭＳ（Mobile Station）とも称される。基地局装置３は、無線基地局装置、基地局、無線基地局、固定局、ＮＢ（Node B）、ｅＮＢ（evolved Node B）、ＢＴＳ（Base Transceiver Station）、ＢＳ（Base Station）、ＮＲ  ＮＢ（NR Node B）、ＮＮＢ、Ｔ
ＲＰ（Transmission and Reception Point）、ｇＮＢとも称される。
【００２６】
図１において、端末装置１と基地局装置３の間の無線通信では、サイクリックプレフィックス（CP: Cyclic Prefix）を含む直交周波数分割多重（OFDM: Orthogonal Frequency Division Multiplexing）、シングルキャリア周波数多重（SC-FDM: Single-Carrier Frequency Division Multiplexing）、離散フーリエ変換拡散ＯＦＤM（DFT-S-OFDM: Discrete
Fourier Transform Spread OFDM）、マルチキャリア符号分割多重（MC-CDM: Multi-Carrier Code Division Multiplexing）が用いられてもよい。
【００２７】
また、図１において、端末装置１と基地局装置３の間の無線通信では、ユニバーサルフィルタマルチキャリア（UFMC: Universal-Filtered Multi-Carrier）、フィルタＯＦＤＭ（F-OFDM: Filtered OFDM）、窓関数が乗算されたＯＦＤＭ（Windowed OFDM）、フィルタバンクマルチキャリア（FBMC: Filter-Bank Multi-Carrier）が用いられてもよい。
【００２８】
なお、本実施形態ではＯＦＤＭを伝送方式としてＯＦＤＭシンボルで説明するが、上述の他の伝送方式の場合を用いた場合も本発明に含まれる。
【００２９】
また、図１において、端末装置１と基地局装置３の間の無線通信では、ＣＰを用いない、あるいはＣＰの代わりにゼロパディングをした上述の伝送方式が用いられてもよい。また、ＣＰやゼロパディングは前方と後方の両方に付加されてもよい。
【００３０】
図１において、端末装置１と基地局装置３の間の無線通信では、サイクリックプレフィックス（CP: Cyclic Prefix）を含む直交周波数分割多重（OFDM: Orthogonal Frequency Division Multiplexing）、シングルキャリア周波数多重（SC-FDM: Single-Carrier Frequency Division Multiplexing）、離散フーリエ変換拡散ＯＦＤM（DFT-S-OFDM: Discrete
Fourier Transform Spread OFDM）、マルチキャリア符号分割多重（MC-CDM: Multi-Carrier Code Division Multiplexing）が用いられてもよい。
【００３１】
図１において、端末装置１と基地局装置３の無線通信では、以下の物理チャネルが用いられる。
【００３２】
・ＰＢＣＨ（Physical Broadcast CHannel）
・ＰＣＣＨ（Physical Control CHannel）
・ＰＳＣＨ（Physical Shared CHannel）
【００３３】
ＰＢＣＨは、端末装置１が必要な重要なシステム情報を含む重要情報ブロック（MIB: Master Information Block、EIB: Essential Information Block、ＢＣＨ：Broadcast Channel）を報知するために用いられる。
【００３４】
ＰＣＣＨは、上りリンクの無線通信（端末装置１から基地局装置３の無線通信）の場合には、上りリンク制御情報（Uplink Control Information: UCI）を送信するために用い
られる。ここで、上りリンク制御情報には、下りリンクのチャネルの状態を示すために用いられるチャネル状態情報（CSI: Channel State Information）が含まれてもよい。また、上りリンク制御情報には、ＵＬ−ＳＣＨリソースを要求するために用いられるスケジューリング要求（SR: Scheduling Request）が含まれてもよい。また、上りリンク制御情報には、ＨＡＲＱ−ＡＣＫ（Hybrid Automatic Repeat request ACKnowledgement）が含ま
れてもよい。ＨＡＲＱ−ＡＣＫは、下りリンクデータ（Transport block, Medium Access
Control Protocol Data Unit: MAC PDU, Downlink-Shared Channel: DL-SCH）に対する
ＨＡＲＱ−ＡＣＫを示してもよい。
【００３５】
また、下りリンクの無線通信（基地局装置３から端末装置１への無線通信）の場合には、下りリンク制御情報（Downlink Control Information: DCI）を送信するために用いら
れる。ここで、下りリンク制御情報の送信に対して、１つまたは複数のＤＣＩ（ＤＣＩフォーマットと称してもよい）が定義される。すなわち、下りリンク制御情報に対するフィールドがＤＣＩとして定義され、情報ビットへマップされる。
【００３６】
例えば、ＤＣＩとして、スケジューリングされたＰＳＣＨに含まれる信号が下りリンクの無線通信か上りリンクの無線通信か示す情報を含むＤＣＩが定義されてもよい。
【００３７】
例えば、ＤＣＩとして、スケジューリングされたＰＳＣＨに含まれる下りリンクの送信期間を示す情報を含むＤＣＩが定義されてもよい。
【００３８】
例えば、ＤＣＩとして、スケジューリングされたＰＳＣＨに含まれる上りリンクの送信期間を示す情報を含むＤＣＩが定義されてもよい。
【００３９】
例えば、ＤＣＩとして、スケジューリングされたＰＳＣＨに対するＨＡＲＱ−ＡＣＫを送信するタイミング（例えば、ＰＳＣＨに含まれる最後のシンボルからＨＡＲＱ−ＡＣＫ送信までのシンボル数）示す情報を含むＤＣＩが定義されてもよい。
【００４０】
例えば、ＤＣＩとして、スケジューリングされたＰＳＣＨに含まれる下りリンクの送信期間、ギャップ、及び上りリンクの送信期間を示す情報を含むＤＣＩが定義されてもよい
。
【００４１】
例えば、ＤＣＩとして、１つのセルにおける１つの下りリンクの無線通信ＰＳＣＨ（１つの下りリンクトランスポートブロックの送信）のスケジューリングのために用いられるＤＣＩが定義されてもよい。
【００４２】
例えば、ＤＣＩとして、１つのセルにおける１つの上りリンクの無線通信ＰＳＣＨ（１つの上りリンクトランスポートブロックの送信）のスケジューリングのために用いられるＤＣＩが定義されてもよい。
【００４３】
ここで、ＤＣＩには、ＰＳＣＨに上りリンクまたは下りリンクが含まれる場合にＰＳＣＨのスケジューリングに関する情報が含まれる。ここで、下りリンクに対するＤＣＩを、下りリンクグラント（downlink grant）、または、下りリンクアサインメント（downlink
assignment）とも称する。ここで、上りリンクに対するＤＣＩを、上りリンクグラント
（uplink grant）、または、上りリンクアサインメント（Uplink assignment）とも称す
る。
【００４４】
ＰＳＣＨは、媒介アクセス（MAC: Medium Access Control）からの上りリンクデータ（UL-SCH: Uplink Shared CHannel）または下りリンクデータ（DL-SCH: Downlink Shared CHannel）の送信に用いられる。また、下りリンクの場合にはシステム情報（SI: System Information）やランダムアクセス応答（RAR: Random Access Response）などの送信にも
用いられる。上りリンクの場合には、上りリンクデータと共にＨＡＲＱ−ＡＣＫおよび／またはＣＳＩを送信するために用いられてもよい。また、ＣＳＩのみ、または、ＨＡＲＱ−ＡＣＫおよびＣＳＩのみを送信するために用いられてもよい。すなわち、ＵＣＩのみを送信するために用いられてもよい。
【００４５】
ここで、基地局装置３と端末装置１は、上位層（higher layer）において信号をやり取り（送受信）する。例えば、基地局装置３と端末装置１は、無線リソース制御（RRC: Radio Resource Control）層において、ＲＲＣシグナリング（RRC message: Radio Resource
Control message、RRC information: Radio Resource Control informationとも称され
る）を送受信してもよい。また、基地局装置３と端末装置１は、ＭＡＣ（Medium Access Control）層において、ＭＡＣコントロールエレメントを送受信してもよい。ここで、Ｒ
ＲＣシグナリング、および／または、ＭＡＣコントロールエレメントを、上位層の信号（higher layer signaling）とも称する。
【００４６】
ＰＳＣＨは、ＲＲＣシグナリング、および、ＭＡＣコントロールエレメントを送信するために用いられてもよい。ここで、基地局装置３から送信されるＲＲＣシグナリングは、セル内における複数の端末装置１に対して共通のシグナリングであってもよい。また、基地局装置３から送信されるＲＲＣシグナリングは、ある端末装置１に対して専用のシグナリング（dedicated signalingとも称する）であってもよい。すなわち、端末装置固有（
ＵＥスペシフィック）な情報は、ある端末装置１に対して専用のシグナリングを用いて送信されてもよい。ＰＳＣＨは、上りリンクに置いてＵＥの能力（UE Capability）の送信
に用いられてもよい。
【００４７】
なお、ＰＣＣＨおよびＰＳＣＨは下りリンクと上りリンクで同一の呼称を用いているが、下りリンクと上りリンクで異なるチャネルが定義されてもよい。
【００４８】
例えば、下りリンクの共有チャネルは、物理下りリンク共有チャネル（ＰＤＳＣＨ：Physical Downlink Shared CHannel）と称されてよい。また、上りリンクの共有チャネルは物理上りリンク共有チャネル（ＰＵＳＣＨ：Physical Uplink Shared CHannel）と称され
てよい。また、下りリンクの制御チャネルは物理下りリンク制御チャネル（ＰＤＣＣＨ：Physical Downlink Control CHannel）と称されてよい。上りリンクの制御チャネルは物
理上りリンク制御チャネル（ＰＵＣＣＨ：Physical Uplink Control CHannel）と称され
てよい。
【００４９】
図１において、下りリンクの無線通信では、以下の下りリンク物理信号が用いられる。ここで、下りリンク物理信号は、上位層から出力された情報を送信するために使用されないが、物理層によって使用される。
・同期信号（Synchronization signal: SS）
・参照信号（Reference Signal: RS）
【００５０】
同期信号は、プライマリ同期信号（ＰＳＳ：Primary Synchronization Signal）およびセカンダリ同期信号（ＳＳＳ）を含んでよい。ＰＳＳとＳＳＳを用いてセルＩＤが検出されてよい。
【００５１】
同期信号は、端末装置１が下りリンクの周波数領域および時間領域の同期をとるために用いられる。ここで、同期信号は、端末装置１が基地局装置３によるプリコーディングまたはビームフォーミングにおけるプリコーディングまたはビームの選択に用いられて良い。
【００５２】
参照信号は、端末装置１が物理チャネルの伝搬路補償を行うために用いられる。ここで、参照信号は、端末装置１が下りリンクのＣＳＩを算出するためにも用いられてよい。また、参照信号は、無線パラメータやサブキャリア間隔などのヌメロロジーやＦＦＴの窓同期などができる程度の細かい同期（Fine synchronization）に用いられて良い。
【００５３】
本実施形態において、以下の下りリンク参照信号のいずれか１つまたは複数が用いられる。
・ＤＭＲＳ（Demodulation Reference Signal）
・ＣＳＩ−ＲＳ（Channel State Information Reference Signal）
・ＰＴＲＳ（Phase Tracking Reference Signal）
・ＭＲＳ（Mobility Reference Signal）  
【００５４】
ＤＭＲＳは、変調信号を復調するために使用される。なお、ＤＭＲＳには、ＰＢＣＨを復調するための参照信号と、ＰＳＣＨを復調するための参照信号の２種類が定義されてもよいし、両方をＤＭＲＳと称してもよい。ＣＳＩ−ＲＳは、チャネル状態情報（ＣＳＩ：Channel State Information）の測定およびビームマネジメントに使用される。ＰＴＲＳ
は、端末の移動等により位相をトラックするために使用される。ＭＲＳは、ハンドオーバのための複数の基地局装置からの受信品質を測定するために使用されてよい。また、参照信号には、位相雑音を補償するための参照信号が定義されてもよい。
【００５５】
下りリンク物理チャネルおよび／または下りリンク物理シグナルを総称して、下りリンク信号と称する。上りリンク物理チャネルおよび／または上りリンク物理シグナルを総称して、上りリンク信号と称する。下りリンク物理チャネルおよび／または上りリンク物理チャネルを総称して、物理チャネルと称する。下りリンク物理シグナルおよび／または上りリンク物理シグナルを総称して、物理シグナルと称する。
【００５６】
ＢＣＨ、ＵＬ−ＳＣＨおよびＤＬ−ＳＣＨは、トランスポートチャネルである。媒体アクセス制御（ＭＡＣ：Medium Access Control）層で用いられるチャネルをトランスポー
トチャネルと称する。ＭＡＣ層で用いられるトランスポートチャネルの単位を、トランスポートブロック（ＴＢ：transport block）および／またはＭＡＣ  ＰＤＵ（Protocol Da
ta Unit）とも称する。ＭＡＣ層においてトランスポートブロック毎にＨＡＲＱ（Hybrid Automatic Repeat reQuest）の制御が行われる。トランスポートブロックは、ＭＡＣ層が物理層に渡す（deliver）データの単位である。物理層において、トランスポートブロッ
クはコードワードにマップされ、コードワード毎に符号化処理が行われる。
【００５７】
また、参照信号は、無線リソース測定（ＲＲＭ：Radio Resource Measurement）に用いられてよい。また、参照信号は、ビームマネジメントに用いられてよい。
【００５８】
ビームマネジメントは、送信装置（下りリンクの場合は基地局装置３であり、上りリンクの場合は端末装置１である）におけるアナログおよび／またはディジタルビームと、受信装置（下りリンクの場合は端末装置１、上りリンクの場合は基地局装置３である）におけるアナログおよび／またはディジタルビームの指向性を合わせ、ビーム利得を獲得するための基地局装置３および／または端末装置１の手続きであってよい。
【００５９】
なお、ビームマネジメントには、下記の手続きを含んでよい。
・ビーム選択（Beam selection）
・ビーム改善（Beam refinement）
・ビームリカバリ（Beam recovery）
【００６０】
例えば、ビーム選択は、基地局装置３と端末装置１の間の通信においてビームを選択する手続きであってよい。また、ビーム改善は、さらに利得の高いビームの選択、あるいは端末装置１の移動によって最適な基地局装置３と端末装置１の間のビームの変更をする手続きであってよい。ビームリカバリは、基地局装置３と端末装置１の間の通信において遮蔽物や人の通過などにより生じるブロッケージにより通信リンクの品質が低下した際にビームを再選択する手続きであってよい。
【００６１】
例えば、端末装置１における基地局装置３の送信ビームを選択する際にＣＳＩ−ＲＳを用いてもよいし、擬似同位置（ＱＣＬ：Quasi Co-Location）想定を用いてもよい。
【００６２】
もしあるアンテナポートにおけるあるシンボルが搬送されるチャネルの長区間特性（Long Term Property）が他方のアンテナポートにおけるあるシンボルが搬送されるチャネルから推論されうるなら、２つのアンテナポートはＱＣＬであるといわれる。チャネルの長区間特性は、遅延スプレッド、ドップラースプレッド、ドップラーシフト、平均利得、及び平均遅延の１つまたは複数を含む。例えば、アンテナポート１とアンテナポート２が平均遅延に関してＱＣＬである場合、アンテナポート１の受信タイミングからアンテナポート２の受信タイミングが推論されうることを意味する。
【００６３】
このＱＣＬは、ビームマネジメントにも拡張されうる。そのために、空間に拡張したＱＣＬが新たに定義されてもよい。例えば、空間のＱＣＬ想定におけるチャネルの長区間特性（Long term property）として、無線リンクあるいはチャネルにおける到来角（AoA（Angle of Arrival）, ZoA（Zenith angle of Arrival）など）および／または角度広がり
（Angle Spread、例えばASA（Angle Spread of Arrival）やZSA（Zenith angle Spread of Arrival））、送出角（AoD, ZoDなど）やその角度広がり（Angle Spread、例えばASD（Angle Spread of Departure）やZSS（Zenith angle Spread of Departure））、空間相関（Spatial Correlation）であってもよい。
【００６４】
この方法により、ビームマネジメントとして、空間のＱＣＬ想定と無線リソース（時間および／または周波数）によりビームマネジメントと等価な基地局装置３、端末装置１の動作が定義されてもよい。
【００６５】
以下、サブフレームについて説明する。本実施形態ではサブフレームと称するが、リソースユニット、無線フレーム、時間区間、時間間隔などと称されてもよい。
【００６６】
図２は、本発明の第１の実施形態に係る下りリンクスロットの概略構成の一例を示す図である。無線フレームのそれぞれは、１０ｍｓ長である。また、無線フレームのそれぞれは１０個のサブフレームおよびＸ個のスロットから構成される。つまり、１サブフレームの長さは１ｍｓである。スロットのそれぞれは、サブキャリア間隔によって時間長が定義される。例えば、ＯＦＤＭシンボルのサブキャリア間隔が１５ｋＨｚ、ＮＣＰ（Normal Cyclic Prefix）の場合、Ｘ＝７あるいはＸ＝１４であり、それぞれ０．５ｍｓおよび１ｍｓである。また、サブキャリア間隔が６０ｋＨｚの場合は、Ｘ＝７あるいはＸ＝１４であり、それぞれ０．１２５ｍｓおよび０．２５ｍｓである。図２は、Ｘ＝７の場合を一例として示している。なお、Ｘ＝１４の場合にも同様に拡張できる。また、上りリンクスロットも同様に定義され、下りリンクスロットと上りリンクスロットは別々に定義されてもよい。
【００６７】
スロットのそれぞれにおいて送信される信号または物理チャネルは、リソースグリッドによって表現されてよい。リソースグリッドは、複数のサブキャリアと複数のＯＦＤＭシンボルによって定義される。1つのスロットを構成するサブキャリアの数は、セルの下り
リンクおよび上りリンクの帯域幅にそれぞれ依存する。リソースグリッド内のエレメントのそれぞれをリソースエレメントと称する。リソースエレメントは、サブキャリアの番号とＯＦＤＭシンボルの番号とを用いて識別されてよい。
【００６８】
リソースブロックは、ある物理下りリンクチャネル（ＰＤＳＣＨなど）あるいは上りリンクチャネル（ＰＵＳＣＨなど）のリソースエレメントのマッピングを表現するために用いられる。リソースブロックは、仮想リソースブロックと物理リソースブロックが定義される。ある物理上りリンクチャネルは、まず仮想リソースブロックにマップされる。その後、仮想リソースブロックは、物理リソースブロックにマップされる。スロットに含まれるＯＦＤＭシンボル数Ｘ＝７で、ＮＣＰの場合には、１つの物理リソースブロックは、時間領域において７個の連続するＯＦＤＭシンボルと周波数領域において12個の連続するサブキャリアとから定義される。つまり、１つの物理リソースブロックは、（7×12）個の
リソースエレメントから構成される。ＥＣＰ（Extended CP）の場合、１つの物理リソー
スブロックは、例えば、時間領域において６個の連続するOFDMシンボルと、周波数領域において12個の連続するサブキャリアとにより定義される。つまり、1つの物理リソースブ
ロックは、（6×12）個のリソースエレメントから構成される。このとき、1つの物理リソースブロックは、時間領域において１つのスロットに対応し、１５ｋＨｚのサブキャリア間隔の場合、周波数領域において１８０ｋＨｚ（６０ｋＨｚの場合には７２０ｋＨｚ）に対応する。物理リソースブロックは、周波数領域において０から番号が付けられている。
【００６９】
次に、サブフレーム、スロット、ミニスロットについて説明する。図３は、サブフレーム、スロット、ミニスロットの時間領域における関係を示した図である。同図のように、３種類の時間ユニットが定義される。サブフレームは、サブキャリア間隔によらず１ｍｓであり、スロットに含まれるＯＦＤＭシンボル数は７または１４であり、スロット長はサブキャリア間隔により異なる。ここで、サブキャリア間隔が１５ｋＨｚの場合、１サブフレームには１４ＯＦＤＭシンボル含まれる。そのため、スロット長は、サブキャリア間隔をΔｆ（ｋＨｚ）とすると、１スロットを構成するＯＦＤＭシンボル数が７の場合、スロット長は０．５／（Δｆ／１５）ｍｓで定義されてよい。ここで、Δｆはサブキャリア間隔（ｋＨｚ）で定義されてよい。また、１スロットを構成するＯＦＤＭシンボル数が７の場合、スロット長は１／（Δｆ／１５）ｍｓで定義されてよい。ここで、Δｆはサブキャリア間隔（ｋＨｚ）で定義されてよい。さらに、スロットに含まれるＯＦＤＭシンボル数をＸとしたときに、スロット長はＸ／１４／（Δｆ／１５）ｍｓで定義されてもよい。
【００７０】
ミニスロット（サブスロットと称されてもよい）は、スロットに含まれるＯＦＤＭシンボル数よりも少ないＯＦＤＭシンボルで構成される時間ユニットである。同図はミニスロットが２ＯＦＤＭシンボルで構成される場合を一例として示している。ミニスロット内のＯＦＤＭシンボルは、スロットを構成するＯＦＤＭシンボルタイミングに一致してもよい。なお、スケジューリングの最小単位はスロットまたはミニスロットでよい。また、
【００７１】
図４は、スロットまたはサブフレームの一例を示す図である。ここでは、サブキャリア間隔１５ｋＨｚにおいてスロット長が０．５ｍｓの場合を例として示している。同図において、Ｄは下りリンク、Ｕは上りリンクを示している。同図に示されるように、ある時間区間内（例えば、システムにおいて１つのＵＥに対して割り当てなければならない最小の時間区間）においては、
・下りリンクパート（デュレーション）
・ギャップ
・上りリンクパート（デュレーション）
のうち１つまたは複数を含んでよい。
【００７２】
図４（ａ）は、ある時間区間（例えば、１ＵＥに割当可能な時間リソースの最小単位、またはタイムユニットなどとも称されてよい。また、時間リソースの最小単位を複数束ねてタイムユニットと称されてもよい。）で、全て下りリンク送信に用いられている例であり、図４（ｂ）は、最初の時間リソースで例えばＰＣＣHを介して上りリンクのスケジュ
ーリングを行い、ＰＣＣＨの処理遅延及び下りから上りの切り替え時間、送信信号の生成のためのギャップを介して上りリンク信号を送信する。図４（ｃ）は、最初の時間リソースで下りリンクのＰＣＣＨおよび／または下りリンクのＰＳＣＨの送信に用いられ、処理遅延及び下りから上りの切り替え時間、送信信号の生成のためのギャップを介してＰＳＣＨまたはＰＣＣＨの送信に用いられる。ここで、一例としては、上りリンク信号はＨＡＲＱ−ＡＣＫおよび／またはＣＳＩ、すなわちＵＣＩの送信に用いられてよい。図４（ｄ）は、最初の時間リソースで下りリンクのＰＣＣＨおよび／または下りリンクのＰＳＣＨの送信に用いられ、処理遅延及び下りから上りの切り替え時間、送信信号の生成のためのギャップを介して上りリンクのＰＳＣＨおよび／またはＰＣＣＨの送信に用いられる。ここで、一例としては、上りリンク信号は上りリンクデータ、すなわちＵＬ−ＳＣＨの送信に用いられてもよい。図４（ｅ）は、全て上りリンク送信（上りリンクのＰＳＣＨまたはＰＣＣＨ）に用いられている例である。
【００７３】
上述の下りリンクパート、上りリンクパートは、ＬＴＥと同様複数のＯＦＤＭシンボルで構成されてよい。
【００７４】
図５は、ビームフォーミングの一例を示した図である。複数のアンテナエレメントは１つの送信ユニット（TXRU: Transceiver unit）１０に接続され、アンテナエレメント毎の位相シフタ１１によって位相を制御し、アンテナエレメント１２から送信することで送信信号に対して任意の方向にビームを向けることができる。典型的には、ＴＸＲＵがアンテナポートとして定義されてよく、端末装置１においてはアンテナポートのみが定義されてよい。位相シフタ１１を制御することで任意の方向に指向性を向けることができるため、基地局装置３は端末装置１に対して利得の高いビームを用いて通信することができる。
【００７５】
端末装置３は、無線リンクの品質を測定するためにＲＲＣ層における測定（例えば、ＲＲＭ測定）を行う。また、  端末装置３は物理層におけるＣＳＩ測定を行う。端末装置３は、ＲＲＣ層における測定報告をＲＲＣ層で送信し、物理層におけるＣＳＩ報告を物理層で送信する。
【００７６】
ＣＳＩ報告は下りリンクの場合、端末装置１が測定したＣＳＩを基地局装置３に報告する。そのために、基地局装置３は、端末装置１に対して、１つまたは複数のＣＳＩ報告設定（CSI reporting setting(s)）を設定する。ＣＳＩ報告設定には下記の設定を含んでよい。
・時間方向の動作（送信方法）
・周波数領域における粒度
・ＣＳＩのタイプ
【００７７】
時間方向の動作は、非周期（Aperiodic, one-shotと呼ばれてもよい）、セミパーシ
ステント、周期的（Periodic）といった参照信号の送信方法を示してよい。
【００７８】
周波数領域における粒度は、例えばＰＭＩやＣＱＩを計算する際の粒度であってよい。例えば、測定する帯域幅に含まれるすべてのリソースブロックに対して１つのワイドバンドＰＭＩやワイドバンドＣＱＩであることを示してもよい。例えば、測定する帯域内よりも狭いサブバンドおよび／または部分帯域ＰＭＩやサブバンドおよび／または部分帯域ＣＱＩを測定するリソースブロック数（部分帯域および／またはリソースブロックグループ内のリソースブロック数）を示してよい。
【００７９】
ＣＳＩのタイプは、例えば、報告するＣＳＩとしてＣＱＩ／ＰＭＩ／ＲＩ／ＣＲＩのうち、いずれか１つまたは複数のどのＣＳＩを報告するかといったＣＳＩのタイプを示してよい。また、ＣＳＩのタイプとして、コードブックで表現されるＰＭＩを含むＣＳＩ（タイプ１）をフィードバックするのか、アナログフィードバックやより粒度の高いコードブックおよび／またはチャネル行列および／またはチャネルの共分散行列のような拡張されたＣＳＩ（タイプ２）といったＣＳＩタイプを示してよい。
【００８０】
ＲＳ（例えば、ＣＳＩ−ＲＳ）は、ＣＳＩを測定するための参照信号の想定に使用される。そのために、基地局装置３は、端末装置１に対して１つまたは複数のＲＳ設定（RS setting(s)）を設定する。ＲＳ設定には下記の設定を含んでよい。
・時間方向の動作（送信方法）
・リソース
・参照信号のタイプ
【００８１】
時間方向の動作は、非周期（Aperiodic）、セミパーシステント、周期的（Periodic）
といった参照信号の送信方法を示してよい。
【００８２】
リソースは、時間および／または周波数おいてマップされるリソースエレメントおよび／またはＯＦＤＭシンボルを示してよい。また、セミパーシステントや周期的な送信の場合には、周期やＣＳＩ−ＲＳの送信間隔（例えば、ミリ秒単位やスロット単位、ＯＦＤＭシンボル単位など）を示してよい。なお、ＣＳＩ−ＲＳのリソースは、これらの情報がマップされたインデックス（またはアイデンティティ）により示されてもよい。
【００８３】
なお、周期的、セミパーシステント、非周期のいずれにおいても潜在的に送信する参照信号の周期やサブフレームオフセットおよび／またはスロットオフセットが上記いずれかのＲＳ設定内の設定に含まれてもよい。
【００８４】
参照信号のタイプは、例えば、ＣＳＩ−ＲＳ以外の参照信号（例えば、ＤＭＲＳ）をＣＳＩ測定用の参照信号とするかどうかを示してもよい。勿論、ＣＳＩ−ＲＳのみがＣＳＩ測定用の参照信号となる場合は、この設定は含まなくてもよい。
【００８５】
ＣＳＩの測定に関しては、端末装置１がＣＳＩを測定するために使用される。そのため
に、基地局装置３は、端末装置１に対して１つまたは複数のＣＳＩ測定設定（CSI measurement setting(s)）を設定する。ＣＳＩ測定設定には下記の設定を含んでよい。
・１つのＣＳＩ報告の設定（１つまたは複数のＣＳＩ報告設定のうちの１つの設定またはそれを示すインデックス）
・１つのＲＳ設定（１つまたは複数のＲＳ設定のうちの１つの設定またはそれを示すインデックス）
・参照する伝送方式（transmission mode）
【００８６】
１つのＣＳＩ報告の設定は、あるＣＳＩ測定設定において、該ＣＳＩ測定設定により測定されたＣＳＩを報告するための設定またはそのＣＳＩ報告設定を示すインデックスを示してよい。
【００８７】
１つのＲＳ設定は、あるＣＳＩ設定において、該ＣＳＩ測定設定のために使用される参照信号の設定またはそれを示すインデックスを示してよい。
【００８８】
また、ＣＳＩ報告設定は、１つのＣＳＩ報告設定のインデックスに、該ＣＳＩ報告設定に含まれるＣＳＩ報告設定およびＲＳ設定のインデックスを関連付ける設定であってもよい。
【００８９】
参照する伝送方式は、あるＣＳＩ測定設定において、該ＣＳＩ測定の際に想定する伝送方式および／またはＭＩＭＯ方式を示してよい。例えば、伝送方式はＯＦＤＭ方式および／またはＤＦＴ−Ｓ−ＯＦＤＭ方式といった無線伝送方式でもよい。また、ＭＩＭＯ方式は、例えば、送信ダイバーシチ、閉ループＭＩＭＯ、開ループＭＩＭＯ、準開ループＭＩＭＯといったマルチアンテナ伝送方式でもよい。また、これらのいずれか一方のみを参照する伝送方式としてもよい。また、これらを組み合わせて１つの参照する伝送方式としてもよい。
【００９０】
端末装置１は、ＣＳＩを測定するＣＳＩプロセスが設定されてもよい。ここで、１つのＣＳＩプロセスは、１つのＲＳ設定に関連付けられてもよい。また、１つのＣＳＩプロセスは１つのＣＳＩ報告設定に関連付けられてもよい。
【００９１】
上述のように、あるＲＳ設定に対して、ＭＡＣ層で参照信号が活性化された場合には、基地局装置３は該ＲＳ設定に基づいて参照信号を送信し、端末装置１は、活性化された該ＲＳ設定に基づいた参照信号が送信されていることを認識（想定）する。参照信号が活性化されている期間において、端末装置１は、該ＲＳ設定により設定された参照信号の時間・周波数リソースの参照信号を受信する。
【００９２】
例えば、ＲＳ設定に含まれるＣＳＩ−ＲＳリソースに関して、周期５ｍｓ、サブフレームオフセット（またはスロットオフセットでもよい）が０であり、各サブフレームの６番目のＯＦＤＭシンボルのリソースブロック内の４番目のサブキャリアにＣＳＩ−ＲＳが配置される時間・周波数リソースが設定されたものとする。
【００９３】
この場合、無線フレーム番号に基づいてＣＳＩ−ＲＳが配置される潜在的なリソースは、サブフレーム｛０、５、１０、・・・｝である。ここで、サブフレーム３においてＭＡＣ層でＣＳＩ−ＲＳが活性化された場合、サブフレーム３以降で非活性化されるまではＲＳ設定により設定された無線リソースにＣＳＩ−ＲＳがあることを認識する。端末装置は、参照信号が活性化された後のサブフレーム５、１０、・・・における４番目のＯＦＤＭシンボルのリソースブロック内の４番目のサブキャリアに配置されたＣＳＩ−ＲＳを受信する。
【００９４】
ここで、ＲＳ設定により設定された参照信号が活性化された場合、端末装置１は該ＲＳ設定によって設定された参照信号が活性化されたと想定する。例えば、参照信号がＣＳＩ−ＲＳであり、サブフレームｎでＣＳＩ−ＲＳが活性化された場合、サブフレームｎ以降で参照信号が非活性化されるまで、該ＲＳ設定に基づくＣＳＩ−ＲＳの送信のために使われる端末装置１により想定されるリソースエレメントには、ＰＤＳＣＨはマップされない。一方、端末装置１によりサブフレームｎより前または非活性化後の潜在的な該ＲＳ設定に基づくＣＳＩ−ＲＳのために使われる想定されるリソースエレメントには、ＰＤＳＣＨはマップされる。
【００９５】
また、複数の基地局装置３またはＴＲＰと協調通信を行う場合、無線リンクごとに参照信号設定が個別に設定される（端末装置１に対しては複数のＣＳＩプロセスまたは複数のＣＳＩ測定設定または複数のＲＳ設定が設定される）。ＰＤＳＣＨがマップされるリソースエレメントが別々にシグナルされてもよい。例えば、ＤＣＩでＰＤＳＣＨのリソースエレメントマッピングに関する情報にＣＳＩ−ＲＳ設定が含まれている場合、ＲＳ設定の参照信号が活性化されているときに該ＣＳＩ−ＲＳの送信が想定されるリソースエレメントにはＰＤＳＣＨはマップされない。もちろん、協調通信は例であり、協調通信に限定されない。
【００９６】
活性化は、ＲＲＣ設定に基づいて、ＲＲＣ設定の際、および／または、ＭＡＣのコマンドを受信した際、に行われてもよい。例えば、ＲＲＣのＲＳ設定が‘周期的’を含む場合、ＲＲＣメッセージを受信した際に対応するＣＳＩ−ＲＳが活性化されてもよい。
【００９７】
また、ＲＳ設定により設定された参照信号がＤＣＩによりトリガされた場合、該ＲＳ設定により設定された参照信号の送信が想定されるリソースエレメントには、ＰＤＳＣＨはマップされない。
【００９８】
端末装置１が、基地局装置３から、ＣＳＩ報告用のＲＳを設定される方法について説明する。あるＣＳＩ測定設定に含まれるＲＳ設定のインデックスから対応するＲＳ設定を特定し、該ＲＳ設定に基づいてチャネル測定（channel measurement）を生成することがで
きるようになる。
【００９９】
該ＲＳ設定で設定された該ＲＳ設定における送信方法が‘周期的’であれば、該ＲＳ設定が設定されたときに該ＲＳ設定に基づいてチャネル測定を生成する。
【０１００】
該ＲＳ設定における送信方法が‘セミパーシステント’であれば、端末装置１は該ＲＳ設定が設定され、参照信号が活性化されたときから非活性化されるまで端末装置１は該ＲＳ設定で設定された参照信号を該ＲＳ設定に基づいて受信してよい。
【０１０１】
ここで、参照信号を活性化するとは、端末装置１が、該ＲＳ設定に基づいたリソースエレメントに参照信号が配置されていることを認識することを意味してよい。また、活性化するために、基地局装置３は端末装置１に対してＭＡＣ層で参照信号を活性化し、参照信号を活性化する情報はＭＡＣコントロールエレメントあるいはＭＡＣプロトコルデータユニットに含まれてよい。端末装置３は、ＭＡＣ層で受信し、Ｔ（ｍｓ）後から該ＲＳ設定に基づく参照信号を受信する。また、非活性化する場合は、ＭＡＣ層で指示してもよい。また、非活性化の別の例として、非活性化のシグナリングをＭＡＣ層で指示する代わりに、予め決められた、または設定された時間だけ該ＲＳ設定に基づいたリソースエレメントの参照信号を受信してもよい。なお、上述のＴはＲＳ設定に含まれてもよいし、予め定義されてもよい。また、ＭＡＣ層で参照信号が非活性化されるまでの時間が予め設定される場合には、ＲＳ設定に含まれてもよい。
【０１０２】
このとき、参照信号を活性化および／または非活性化するためのＭＡＣ層の情報として、活性化する参照信号と関連付けられたＲＳ設定の１つまたは複数のインデックスを含んでよい。例えば、１つまたは複数のＲＳ設定をＭＡＣ層でトリガする場合に、どのＲＳ設定における参照信号を活性化するかは、ビットマップで示してもよいし、一括符号化してもよい。各フィールドのビットが各ＲＳ設定のインデックスに対応し、１がセットされているフィールドに対応する参照信号が活性化される。また、０がセットされているフィールドに対応する参照信号が非活性化される。
【０１０３】
また、参照信号を活性化および／または非活性化するためのＭＡＣ層の情報として、１つまたは複数のＣＳＩ測定のインデックスを含んでよい。例えば、１つまたは複数のＣＳＩ測定設定をＭＡＣ層でトリガする場合に、どのＣＳＩ測定設定におけるＣＳＩ測定を活性化するかは、ビットマップで示してもよいし、一括符号化してもよい。各フィールドのビットが各ＣＳＩ測定のインデックスに対応し、１がセットされているフィールドに対応するＣＳＩ測定が活性化される。また、０がセットされているフィールドに対応するＣＳＩ測定が非活性化される。
【０１０４】
また、該ＲＳ設定における送信方法が‘セミパーシステント’であれば、端末装置１は、ＤＣＩで参照信号の受信をトリガされてもよい。このとき、ＤＣＩで指示されサブフレーム以降で、該ＲＳ設定で設定された参照信号を該ＲＳ設定に基づいて受信してよい。また、端末装置１は、ＤＣＩにより参照信号の受信を終了することを指示されてもよい。また、ＤＣＩはＣＳＩ測定設定により設定された１つまたは複数のＣＳＩ測定のインデックスを含んでよい。これにより、効率的に参照信号の受信およびＣＳＩ測定を行うことができる。
【０１０５】
また、該ＲＳ設定における送信方法が‘非周期’であれば、端末装置１は、ＤＣＩで参照信号を受信するトリガを受信してよい。このとき、ＤＣＩで指示されサブフレームまたは指示されたサブフレーム以降の最初の参照信号リソースで、該ＲＳ設定で設定された参照信号を該ＲＳ設定に基づいて１回または複数回受信してよい。また、ＤＣＩは設定された１つまたは複数のＣＳＩ測定のインデックスを含んでよい。また、ＤＣＩに含まれる情報として、どのＣＳＩ測定設定に関してトリガするかは、ビットマップで示してもよいし、一括符号化してもよい。
【０１０６】
基地局装置３がＣＳＩ報告を端末装置１に要求する方法について説明する。１つまたはＣＳＩ報告設定に含まれるＣＳＩ報告設定のインデックスに対応するＣＳＩ報告設定を特定し、該ＣＳＩ報告設定に基づいてＣＳＩを報告する。
【０１０７】
該ＣＳＩ報告設定における報告方法が‘周期的’であれば、端末装置１は該ＣＳＩ報告設定が設定されたときに該ＣＳＩ設定に基づいて周期的にＣＳＩを報告してよい。
【０１０８】
該ＣＳＩ報告設定における報告方法が‘セミパーシステント’であれば、端末装置１は該ＣＳＩ報告設定が設定され、ＣＳＩ報告が活性化されたときから非活性化されるまで該ＣＳＩ報告設定に基づいてＣＳＩを報告してよい。
【０１０９】
ここで、ＣＳＩ報告を活性化するとは、端末装置１が、該ＣＳＩ報告設定に基づいてＣＳＩを報告してよいと認識することを意味してよい。また、活性化するために、基地局装置３は端末装置１に対してＭＡＣ層で活性化し、その活性化する情報はＭＡＣコントロールエレメントあるいはＭＡＣプロトコルデータユニットに含まれてよい。端末装置３は、ＭＡＣ層で受信し、Ｔ（ｍｓ）後から該ＣＳＩ報告設定に基づいてＣＳＩを報告する。また、ＣＳＩ報告を非活性化する場合は、ＭＡＣ層で指示してもよい。また、非活性化に関しては、ＣＳＩ報告を活性化した後、予め決められた、または設定された時間だけ該ＣＳ
Ｉ報告設定に基づいてＣＳＩを報告してもよい。なお、上述のＴはＣＳＩ報告設定に含まれてもよいし、予め定義されてもよい。また、ＭＡＣ層で非活性化までの時間が予め設定される場合には、ＣＳＩ報告設定に含まれてもよい。
【０１１０】
このとき、ＣＳＩ報告を活性化および／または非活性化するためのＭＡＣ層の情報として、活性化するＣＳＩ報告と関連付けられたＣＳＩ報告設定の１つまたは複数のインデックスを含んでよい。
【０１１１】
また、ＣＳＩ報告を活性化および／または非活性化するためのＭＡＣ層の情報として、１つまたは複数のＣＳＩ測定のインデックスを含んでよい。例えば、１つまたは複数のＣＳＩ測定設定をＭＡＣ層でトリガする場合に、どのＣＳＩ測定設定に関して活性化するかは、ビットマップで示してもよいし、一括符号化してもよい。各フィールドのビットが各ＣＳＩ報告のインデックスに対応し、１がセットされているフィールドに対応するＣＳＩ報告が活性化される。また、０がセットされているフィールドに対応するＣＳＩ報告が非活性化される。
【０１１２】
また、該ＣＳＩ報告設定における送信方法が‘セミパーシステント’であれば、端末装置１は、ＤＣＩでＣＳＩの報告が要求（トリガ）されてもよい。このとき、ＤＣＩで指示されサブフレーム以降で、該ＣＳＩ報告設定に基づいてＣＳＩを報告してよい。また、端末装置１は、ＤＣＩによりＣＳＩの報告を終了することを指示されてもよい。また、ＤＣＩにはＣＳＩ測定設定により設定された１つまたは複数のＣＳＩ測定のインデックスを含んでよい。
【０１１３】
また、該ＣＳＩ報告設定における送信方法が‘非周期’であれば、端末装置１は、ＤＣＩでＣＳＩの要求が報告されてもよい。このとき、ＤＣＩで指示されサブフレームまたはＤＣＩで指示されたサブフレーム以降の最初のＣＳＩ報告のためのＰＵＳＣＨまたはＰＵＣＣＨリソースで、ＣＳＩ報告設定に基づいて１回または複数回ＣＳＩを報告してよい。また、ＤＣＩは設定された１つまたは複数のＣＳＩ測定のインデックスを含んでよい。また、ＤＣＩに含まれる情報として、どのＣＳＩ測定設定に関してトリガするかは、ビットマップで示してもよいし、一括符号化してもよい。これにより、効率的にＣＳＩ測定およびＣＳＩ報告を行うことができる。
【０１１４】
次に、ＣＳＩプロセスとの関係の例について述べる。ＣＳＩプロセスは、端末装置３に対して１つまたは複数設定することができる。典型的には、複数の基地局装置３と協調通信（ＣｏＭＰ：Coordinated Multi-Point）する場合にそれぞれの基地局装置３との間の
無線リンクに関するＣＳＩ測定およびＣＳＩ報告のためのアイデンティティとしてＣＳＩプロセスＩＤが用いられてよい。ただし、複数の基地局装置３との協調通信に限定されない。
【０１１５】
あるＣＳＩプロセスは、１つのＣＳＩ測定設定に関連付けられてもよい。また、１つのＣＳＩプロセスに複数のＣＳＩ測定設定が関連付けられてもよい。また、ＣＳＩ−ＲＳリソース設定とＣＳＩプロセスが関連付けられてもよい。また、ＩＭ設定とＣＳＩプロセスが関連付けられてもよい。または、“ＣＳＩ測定設定”を“ＣＳＩプロセスと”言い換えてもよい。
【０１１６】
以下では、上述の一例を示す。ＣＳＩ報告設定として、３つのＣＳＩ報告設定（ＣＳＩ報告設定Ｃ１、Ｃ２、Ｃ３）が設定され、２つのＲＳ設定（ＲＳ設定Ｒ１、Ｒ２）が設定されるものとする。ここで、ＣＳＩ報告設定Ｃ１、Ｃ２、Ｃ３およびＲＳ設定Ｒ１、Ｒ２が下記のように設定されているものとする。
・ＣＳＩ報告設定Ｃ１：
・時間方向の動作：セミパーシステント
・周波数領域の粒度：ワイドバンド
・ＣＳＩのタイプ：ＣＱＩ
・ＣＳＩ報告設定Ｃ２：
・時間方向の動作：非周期
・周波数領域の粒度：ワイドバンド
・ＣＳＩのタイプ：ＲＩ、ＣＱＩ
・ＣＳＩ報告設定Ｃ３：
・時間方向の動作：非周期
・周波数領域の粒度：サブバンド（４リソースブロック）
・ＣＳＩのタイプ：ＲＩ、ＣＱＩ、ＰＭＩ、ＣＲＩ
【０１１７】
・ＲＳ設定Ｒ１：
・時間方向の動作：セミパーシステント
・リソース：ＣＳＩ−ＲＳ設定＃１
・参照信号のタイプ：ＣＳＩ−ＲＳ
・ＲＳ設定Ｒ２：
・時間方向の動作：非周期
・リソース：ＣＳＩ−ＲＳ設定＃２
・参照信号のタイプ：ＣＳＩ−ＲＳ
【０１１８】
ここで、３つのＣＳＩ測定設定（Ｍ１、Ｍ２、Ｍ３）が設定され、それぞれのＣＳＩ測定設定には下記のＣＳＩ報告設定、ＲＳ設定、および参照する伝送方式が含まれるものとする。
【０１１９】
・ＣＳＩ測定設定Ｍ１：
・ＣＳＩ報告設定Ｃ１
・ＲＳ設定Ｒ１
・参照する伝送方式：送信ダイバーシチ
・ＣＳＩ測定設定Ｍ２：
・ＣＳＩ報告設定Ｃ２
・ＲＳ設定Ｒ１
・参照する伝送方式：開ループＭＩＭＯ
・ＣＳＩ測定設定Ｍ３：
・ＣＳＩ報告設定Ｃ３
・ＲＳ設定Ｒ２
・参照する伝送方式：閉ループＭＩＭＯ
【０１２０】
ここで、ＣＳＩ測定設定Ｍ１とＭ２に対応するＣＳＩ報告を行う場合、基地局装置３はＭＡＣ層のＭＡＣ  ＣＥまたはＭＡＣ  ＰＤＵ、もしくは物理層におけるＤＣＩを用いてＣＳＩ測定設定Ｍ１とＭ２に対応するＣＳＩの測定および報告を要求し、端末装置１はＣＳＩ測定設定Ｍ１およびＭ２に対応するＣＳＩ測定を行い、ＣＳＩ報告を行う。
【０１２１】
例えば、ＣＳＩ測定設定Ｍ１のＲＳ設定Ｒ１はセミパーシステント送信をＭＡＣ層において活性化する。このとき、基地局装置３は、活性化を指示する情報にＲ１および／またはＭ１という設定に関連付けられたインデックスを含む。端末装置１は、インデックスに基づいてＣＳＩ−ＲＳ設定＃１の時間および／または周波数および／または符号（直交符号やＭ系列、サイクリックシフト等）に基づいてＣＳＩ−ＲＳのリソースを認識し、非活性化されるまでＣＳＩを測定する。
【０１２２】
また、基地局装置３は、ＣＳＩ測定、ＣＳＩ測定設定Ｍ１に対応するＣＳＩ報告を行うために、端末装置１に対してＣＳＩ報告設定Ｃ１の報告を要求する。ＣＳＩ報告設定Ｃ１の時間領域の動作はセミパーシステントであるため、ＣＳＩ報告が基地局装置３のＭＡＣ層により活性化される。端末装置１は、非活性化されるまでＣＳＩ報告のためのリソースを用いてＣＳＩを報告する。
【０１２３】
端末装置１は、ＣＳＩ報告の際に、ＣＳＩとＣＳＩ測定設定Ｍ１および／またはＣＳＩ報告設定Ｃ１に関連付けられたインデックスをＣＳＩとともに報告してよい。このインデックスは、ＣＳＩの１つとして定義されてもよい。
【０１２４】
同様に、ＣＳＩ測定設定Ｍ２に関しても、基地局装置３はＲＳ設定Ｒ１の参照信号を活性化してＣＳＩ測定を行ってよい。ＣＳＩ報告に関しては、ＣＳＩ報告設定Ｃ２が関連する。このとき、ＣＳＩ報告設定Ｃ２の時間方向の動作が非周期であるため、ＤＣＩによりＣＳＩ報告を要求（リクエスト）し、端末装置１は基地局装置３からＤＣＩによりＣＳＩ報告の要求を受信した場合に、ＣＳＩ報告用のリソースでＣＳＩを報告する。このとき、ＣＳＩ報告用のリソースは、基地局装置３によりスケジュールされたＰＵＳＣＨリソースでもよい。
【０１２５】
端末装置１は、ＣＳＩ報告の際に、ＣＳＩとＣＳＩ測定設定Ｍ２またはＣＳＩ報告設定Ｃ２に関連付けられたインデックスをＣＳＩとともに報告してよい。このインデックスは、ＣＳＩの１つとして定義されてもよい。
【０１２６】
なお、端末装置１に複数のＣＳＩ測定設定が設定された場合、ＭＡＣ層において活性化および／または非活性化するＲＳ設定に基づく参照信号に関して、１つの活性化を指示する情報で１つまたは複数の参照信号が活性化および／または非活性化されてもよい。
【０１２７】
なお、端末装置１に複数のＣＳＩ測定設定が設定された場合、ＭＡＣ層において活性化および／または非活性化するＣＳＩ報告設定に基づく参ＣＳＩ報告に関して、１つの活性化を指示する情報で１つまたは複数のＣＳＩ報告が活性化および／または非活性化されてもよい。
【０１２８】
なお、端末装置１に複数のＣＳＩ測定設定が設定された場合、物理層においてトリガされる参照信号の送信に関して、１つのＤＣＩで１つまたは複数のＲＳ設定に関連付けられた参照信号が送信されてもよい。
【０１２９】
なお、端末装置１に複数のＣＳＩ測定設定が設定された場合、物理層においてトリガされるＣＳＩ報告に関して、１つのＤＣＩで１つまたは複数のＣＳＩ報告設定に関するＣＳＩ報告が要求されてもよい。
【０１３０】
干渉測定リソース（ＩＭ：Interference Measurement）は下りリンクの場合、干渉を測定するリソースを示す。そのために、基地局装置３は、端末装置１に対して、１つまたは複数のＩＭ設定（IM setting(s)）を設定する。干渉リソース設定には下記の設定を含ん
でよい。
・時間方向の動作（送信方法）
・参照信号のタイプ
【０１３１】
時間方向の動作は、非周期（Aperiodic）、セミパーシステント、周期的（Periodic）
といった参照信号の送信方法を示してよい。
【０１３２】
リソースは、時間および／または周波数おいて干渉測定用リソースとされるリソースエ
レメントおよび／またはＯＦＤＭシンボルを示してよい。また、セミパーシステントや周期的な送信の場合には、周期やＣＳＩ−ＩＭの送信間隔（例えば、ミリ秒単位やスロット単位、ＯＦＤＭシンボル単位など）を示してよい。なお、ＣＳＩ−ＩＭのリソースは、これらの情報がマップされたインデックス（またはアイデンティティ）により示されてもよい。
【０１３３】
なお、周期的、セミパーシステント、非周期のいずれにおいても潜在的に送信する参照信号の周期やサブフレームオフセットおよび／またはスロットオフセットが上記いずれかのＩＭ設定内の設定に含まれてもよい。
【０１３４】
参照信号のタイプは、例えば、ＣＳＩ−ＩＭ以外の干渉測定用リソース（例えば、ＮＺＰ  ＣＩ−ＲＳリソース）をＣＳＩ測定用の参照信号とするかどうかを示してもよい。勿論、ＣＳＩ−ＩＭのみが干渉測定用のリソースとなる場合は、この設定は含まれなくてもよい。
【０１３５】
ＩＭ設定は、ＲＳ設定の中に含まれてもよいし、ＲＳ設定と別々に定義されてよい。干渉リソース設定は、ＣＳＩ測定設定の中に下記のように含まれてもよい。
・１つのＣＳＩ報告の設定（１つまたは複数のＣＳＩ報告設定のうちの１つの設定またはそれを示すインデックス）
・１つのＲＳ設定（１つまたは複数のＲＳ設定のうちの１つの設定またはそれを示すインデックス）
・１つのＩＭ設定（１つまたは複数のＩＭ設定のうちの１つの設定またはそれを示すインデックス））
・参照する伝送方式
【０１３６】
この場合、ＲＳ設定に基づく参照信号の受信の活性化および／またはＩＭ設定に基づく干渉リソースの活性化は異なるサブフレームまたはスロットで行われてもよいし、１つの情報で同じサブフレームまたはスロットで行われてもよい。
【０１３７】
また、ＣＳＩ報告設定およびＲＳ設定は、および／またはＲＲＣ（上位レイヤ）で設定されてもよいし、仕様で予め定義された設定でもよい。
【０１３８】
上述の例に加え、以下にさらなる複数の実施例を説明する。
【０１３９】
２つのＣＳＩ報告設定Ｃ１、Ｃ２および１つのＲＳ設定Ｒ１が設定され、ＣＳＩ測定設定Ｍ１およびＭ２に、それぞれ（Ｃ１、Ｒ１）および（Ｃ２、Ｒ１）の組み合わせで関連付けられているとする。
【０１４０】
サブフレームｎにおいて、ＲＳ設定Ｒ１の参照信号が活性化された場合、端末装置１は、ＲＳ設定Ｒ１に基づいて参照信号が送信されていると認識する。このとき、まだＣＳＩ報告設定によるＣＳＩ報告が活性化またはトリガされていない。サブフレームｎ＋Ｘ（Ｘは０以上の正の整数）でＣＳＩ報告設定Ｃ１がＤＣＩによりトリガされた場合は、ＲＳ設定Ｒ１およびＣＳＩ報告設定Ｃ１の組み合わせからＣＳＩ測定設定Ｍ１と想定してＣＳＩ測定設定Ｍ１およびＣＳＩ報告設定Ｃ１基づいてＣＳＩ測定およびＣＳＩ報告を行う。この場合、ＣＳＩ測定の活性化は定義されなくてもよい。
【０１４１】
このように、端末装置１は、ＲＳ設定に関連付けられた参照信号が活性化およびトリガされ、かつＣＳＩ設定が活性化またはトリガされたときに関連付けられたチャネル測定設定に基づくチャネル測定およびＣＳＩ報告を行ってよい。
【０１４２】
別の例として、サブフレームｎにおいて、ＣＳＩ報告設定Ｍ１に関連付けられたＣＳＩ報告が活性化された場合、端末装置１は、ＣＳＩ報告設定Ｃ１に基づいたＣＳＩ報告ができる状態にあると認識する。このとき、まだＲＳ設定によるＲＳが活性化またはトリガされていない。サブフレームｎ＋Ｘ（Ｘは０以上の正の整数）でＲＳ設定Ｒ１に関連付けられた参照信号が活性化された場合は、ＲＳ設定Ｒ１およびＣＳＩ報告設定Ｃ１の組み合わせからＣＳＩ測定設定Ｍ１と想定してＣＳＩ測定設定Ｍ１およびＣＳＩ報告設定Ｃ１に基づいてＣＳＩ測定およびＣＳＩ報告を行う。この場合、ＣＳＩ測定の活性化は定義されなくてもよい。
【０１４３】
このように、端末装置１は、ＲＳ設定に関連付けられた参照信号が活性化およびトリガされ、かつＣＳＩ設定が活性化またはトリガされたときに関連付けられたチャネル測定設定に基づくチャネル測定およびＣＳＩ報告を行ってよい。
【０１４４】
別の例として、サブフレームｎにおいて、ＣＳＩ報告設定Ｍ１に関連付けられたＣＳＩ報告が活性化された場合、端末装置１は、ＣＳＩ測定設定Ｍ１に基づいたＣＳＩ測定ができる状態にあると認識する。このとき、ＣＳＩ測定設定Ｍ１に関連付けられたＣＳＩ報告設定Ｃ１に基づくＣＳＩ報告およびＲＳ設定Ｒ１に基づく参照信号が活性化される。端末装置１は、これらの設定に基づいてＣＳＩ測定およびＣＳＩ報告を行う。この場合、ＲＳ設定Ｒ１に基づく参照信号の活性化およびＣＳＩ報告設定Ｃ１に基づくＣＳＩ報告の活性化は定義されなくてもよい。
【０１４５】
また、この例で、ＲＳ設定Ｒ１の時間領域の動作が‘セミパーシステント’で、ＣＳＩ報告設定が‘非周期’の場合、ＣＳＩ測定設定Ｍ１に基づいたＣＳＩ測定が活性化された場合には、ＲＳ設定Ｒ１に基づく参照信号が活性化され、この活性化されている間に端末装置１がＤＣＩによりＣＳＩ報告を要求するトリガを受信するといった方法が適用されてもよい。
【０１４６】
本実施形態の一態様は、ＬＴＥやＬＴＥ−Ａ／ＬＴＥ−Ａ  Ｐｒｏといった無線アクセス技術（RAT: Radio Access Technology）とのキャリアアグリゲーションまたはデュアルコネクティビティにおいてオペレーションされてもよい。このとき、一部またはすべてのセルまたはセルグループ、キャリアまたはキャリアグループ（例えば、プライマリセル（PCell: Primary Cell）、セカンダリセル（SCell: Secondary Cell）、プライマリセカンダリセル（PSCell）、ＭＣＧ（Master Cell Group）、ＳＣＧ（Secondary Cell Group）
など）で用いられてもよい。また、単独でオペレーションするスタンドアローンで用いられてもよい。
【０１４７】
以下、本実施形態における装置の構成について説明する。ここでは、下りリンクの無線伝送方式として、ＣＰ−ＯＦＤＭ、上りリンクの無線伝送方式としてＣＰ  ＤＦＴＳ−ＯＦＤＭ（ＳＣ−ＦＤＭ）を適用する場合の例を示している。
【０１４８】
図６は、本実施形態の端末装置１の構成を示す概略ブロック図である。図示するように、端末装置１は、上位層処理部１０１、制御部１０３、受信部１０５、送信部１０７と送受信アンテナ１０９を含んで構成される。また、上位層処理部１０１は、無線リソース制御部１０１１、スケジューリング情報解釈部１０１３、および、チャネル状態情報（ＣＳＩ）報告制御部１０１５を含んで構成される。また、受信部１０５は、復号化部１０５１、復調部１０５３、多重分離部１０５５、無線受信部１０５７と測定部１０５９を含んで構成される。また、送信部１０７は、符号化部１０７１、変調部１０７３、多重部１０７５、無線送信部１０７７と上りリンク参照信号生成部１０７９を含んで構成される。
【０１４９】
上位層処理部１０１は、ユーザの操作等により生成された上りリンクデータ（トランス
ポートブロック）を、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層
、無線リソース制御（Radio Resource Control: RRC）層の処理を行う。
【０１５０】
上位層処理部１０１が備える無線リソース制御部１０１１は、自装置の各種設定情報の管理をする。また、無線リソース制御部１０１１は、上りリンクの各チャネルに配置される情報を生成し、送信部１０７に出力する。
【０１５１】
上位層処理部１０１が備えるスケジューリング情報解釈部１０１３は、受信部１０５を介して受信したＤＣＩ（スケジューリング情報）の解釈をし、前記ＤＣＩを解釈した結果に基づき、受信部１０５、および送信部１０７の制御を行うために制御情報を生成し、制御部１０３に出力する。
【０１５２】
ＣＳＩ報告制御部１０１５は、測定部１０５９に、ＣＳＩ参照リソースに関連するチャネル状態情報（ＲＩ／ＰＭＩ／ＣＱＩ／ＣＲＩ）を導き出すよう指示する。ＣＳＩ報告制御部１０１５は、送信部１０７に、ＲＩ／ＰＭＩ／ＣＱＩ／ＣＲＩを送信するよう指示をする。ＣＳＩ報告制御部１０１５は、測定部１０５９がＣＱＩを算出する際に用いる設定をセットする。
【０１５３】
制御部１０３は、上位層処理部１０１からの制御情報に基づいて、受信部１０５、および送信部１０７の制御を行う制御信号を生成する。制御部１０３は、生成した制御信号を受信部１０５、および送信部１０７に出力して受信部１０５、および送信部１０７の制御を行う。
【０１５４】
受信部１０５は、制御部１０３から入力された制御信号に従って、送受信アンテナ１０９を介して基地局装置３から受信した受信信号を、分離、復調、復号し、復号した情報を上位層処理部１０１に出力する。
【０１５５】
無線受信部１０５７は、送受信アンテナ１０９を介して受信した下りリンクの信号を、中間周波数に変換し（ダウンコンバート: down covert）、不要な周波数成分を除去し、
信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からガードインターバル（Guard Interval: GI）に相当する部分を除去し、ガードインターバルを除去した信号に対して高速フーリエ変換（Fast Fourier Transform: FFT）を行い、周波数領域の信号を抽出す
る。
【０１５６】
多重分離部１０５５は、抽出した信号を下りリンクのＰＣＣＨ、ＰＳＣＨ、および下りリンク参照信号に、それぞれ分離する。また、多重分離部１０５５は、測定部１０５９から入力された伝搬路の推定値から、ＰＣＣＨおよびＰＳＣＨの伝搬路の補償を行う。また、多重分離部１０５５は、分離した下りリンク参照信号を測定部１０５９に出力する。
【０１５７】
復調部１０５３は、下りリンクのＰＣＣＨに対して、復調を行い、復号化部１０５１へ出力する。復号化部１０５１は、ＰＣＣＨの復号を試み、復号に成功した場合、復号した下りリンク制御情報と下りリンク制御情報が対応するＲＮＴＩとを上位層処理部１０１に出力する。
【０１５８】
復調部１０５３は、ＰＳＣＨに対して、ＱＰＳＫ（Quadrature Phase Shift Keying）
、１６ＱＡＭ（Quadrature Amplitude Modulation）、６４ＱＡＭ、２５６ＱＡＭ等の下
りリンクグラントで通知された変調方式の復調を行い、復号化部１０５１へ出力する。復号化部１０５１は、下りリンク制御情報で通知された伝送または原符号化率に関する情報に基づいて復号を行い、復号した下りリンクデータ（トランスポートブロック）を上位層処理部１０１へ出力する。
【０１５９】
測定部１０５９は、多重分離部１０５５から入力された下りリンク参照信号から、下りリンクのパスロスの測定、チャネル測定、および／または、干渉測定を行う。測定部１０５９は、測定結果に基づいて算出したＣＳＩ、および、測定結果を上位層処理部１０１へ出力する。また、測定部１０５９は、下りリンク参照信号から下りリンクの伝搬路の推定値を算出し、多重分離部１０５５へ出力する。
【０１６０】
送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ１０９を介して基地局装置３に送信する。
【０１６１】
符号化部１０７１は、上位層処理部１０１から入力された上りリンク制御情報、および、上りリンクデータを符号化する。変調部１０７３は、符号化部１０７１から入力された符号化ビットをＢＰＳＫ、ＱＰＳＫ、１６ＱＡＭ、６４ＱＡＭ、２５６ＱＡＭ等の変調方式で変調する。
【０１６２】
上りリンク参照信号生成部１０７９は、基地局装置３を識別するための物理セル識別子（physical cell identity: PCI、Cell IDなどと称する。）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。
【０１６３】
多重部１０７５は、ＰＵＳＣＨのスケジューリングに用いられる情報に基づき、空間多重されるＰＵＳＣＨのレイヤーの数を決定し、ＭＩＭＯ空間多重（MIMO SM: Multiple Input Multiple Output Spatial Multiplexing）を用いることにより同一のＰＵＳＣＨで送信される複数の上りリンクデータを、複数のレイヤーにマッピングし、このレイヤーに対してプレコーディング（precoding）を行う。
【０１６４】
多重部１０７５は、制御部１０３から入力された制御信号に従って、ＰＳＣＨの変調シンボルを離散フーリエ変換（Discrete Fourier Transform: DFT）する。また、多重部１
０７５は、ＰＣＣＨとＰＳＣＨの信号と生成した上りリンク参照信号を送信アンテナポート毎に多重する。つまり、多重部１０７５は、ＰＣＣＨとＰＳＣＨの信号と生成した上りリンク参照信号を送信アンテナポート毎にリソースエレメントに配置する。
【０１６５】
無線送信部１０７７は、多重された信号を逆高速フーリエ変換（Inverse Fast Fourier
Transform: IFFT）して、ＳＣ−ＦＤＭ方式の変調を行い、ＳＣ−ＦＤＭ変調されたＳＣ−ＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ１０９に出力して送信する。
【０１６６】
図７は、本実施形態の基地局装置３の構成を示す概略ブロック図である。図示するように、基地局装置３は、上位層処理部３０１、制御部３０３、受信部３０５、送信部３０７、および、送受信アンテナ３０９、を含んで構成される。また、上位層処理部３０１は、
無線リソース制御部３０１１、スケジューリング部３０１３、および、ＣＳＩ報告制御部３０１５を含んで構成される。また、受信部３０５は、復号化部３０５１、復調部３０５３、多重分離部３０５５、無線受信部３０５７と測定部３０５９を含んで構成される。また、送信部３０７は、符号化部３０７１、変調部３０７３、多重部３０７５、無線送信部３０７７と下りリンク参照信号生成部３０７９を含んで構成される。
【０１６７】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行う。また、上位層処理部３０１は、受信部３０５、および送信部３０７の制御を行うために制御情報を生成し、制御部３０３に出力する。
【０１６８】
上位層処理部３０１が備える無線リソース制御部３０１１は、下りリンクのＰＳＣＨに配置される下りリンクデータ（トランスポートブロック）、システムインフォメーション、ＲＲＣメッセージ、ＭＡＣ  ＣＥ（Control Element）などを生成し、又は上位ノード
から取得し、送信部３０７に出力する。また、無線リソース制御部３０１１は、端末装置１各々の各種設定情報の管理をする。
【０１６９】
上位層処理部３０１が備えるスケジューリング部３０１３は、受信したＣＳＩおよび測定部３０５９から入力された伝搬路の推定値やチャネルの品質などから、物理チャネル（ＰＳＣＨ）を割り当てる周波数およびサブフレーム、物理チャネル（ＰＳＣＨ）の伝送符号化率および変調方式および送信電力などを決定する。スケジューリング部３０１３は、スケジューリング結果に基づき、受信部３０５、および送信部３０７の制御を行うために制御情報を生成し、制御部３０３に出力する。スケジューリング部３０１３は、スケジューリング結果に基づき、物理チャネル（ＰＳＣＨ）のスケジューリングに用いられる情報（例えば、ＤＣＩ（フォーマット））を生成する。
【０１７０】
上位層処理部３０１が備えるＣＳＩ報告制御部３０１５は、端末装置１のＣＳＩ報告を制御する。ＣＳＩ報告制御部３０１５は、端末装置１がＣＳＩ参照リソースにおいてＲＩ／ＰＭＩ／ＣＱＩを導き出すために想定する、各種設定を示す情報を、送信部３０７を介して、端末装置１に送信する。
【０１７１】
制御部３０３は、上位層処理部３０１からの制御情報に基づいて、受信部３０５、および送信部３０７の制御を行う制御信号を生成する。制御部３０３は、生成した制御信号を受信部３０５、および送信部３０７に出力して受信部３０５、および送信部３０７の制御を行う。
【０１７２】
受信部３０５は、制御部３０３から入力された制御信号に従って、送受信アンテナ３０９を介して端末装置１から受信した受信信号を分離、復調、復号し、復号した情報を上位層処理部３０１に出力する。無線受信部３０５７は、送受信アンテナ３０９を介して受信された上りリンクの信号を、中間周波数に変換し（ダウンコンバート: down covert）、
不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【０１７３】
無線受信部３０５７は、変換したディジタル信号からガードインターバル（Guard Interval: GI）に相当する部分を除去する。無線受信部３０５７は、ガードインターバルを除去した信号に対して高速フーリエ変換（Fast Fourier Transform: FFT）を行い、周波数
領域の信号を抽出し多重分離部３０５５に出力する。
【０１７４】
多重分離部１０５５は、無線受信部３０５７から入力された信号をＰＣＣＨ、ＰＳＣＨ、上りリンク参照信号などの信号に分離する。尚、この分離は、予め基地局装置３が無線リソース制御部３０１１で決定し、各端末装置１に通知した上りリンクグラントに含まれる無線リソースの割り当て情報に基づいて行われる。また、多重分離部３０５５は、測定部３０５９から入力された伝搬路の推定値から、ＰＣＣＨとＰＳＣＨの伝搬路の補償を行う。また、多重分離部３０５５は、分離した上りリンク参照信号を測定部３０５９に出力する。
【０１７５】
復調部３０５３は、ＰＳＣＨを逆離散フーリエ変換（Inverse Discrete Fourier Transform: IDFT）し、変調シンボルを取得し、ＰＣＣＨとＰＳＣＨの変調シンボルそれぞれに対して、ＢＰＳＫ（Binary Phase Shift Keying）、ＱＰＳＫ、１６ＱＡＭ、６４ＱＡＭ
、２５６ＱＡＭ等の予め定められた、または自装置が端末装置１各々に上りリンクグラントで予め通知した変調方式を用いて受信信号の復調を行う。復調部３０５３は、端末装置１各々に上りリンクグラントで予め通知した空間多重される系列の数と、この系列に対して行うプリコーディングを指示する情報に基づいて、ＭＩＭＯ  ＳＭを用いることにより同一のＰＳＣＨで送信された複数の上りリンクデータの変調シンボルを分離する。
【０１７６】
復号化部３０５１は、復調されたＰＣＣＨとＰＳＣＨの符号化ビットを、予め定められた符号化方式の、予め定められた、又は自装置が端末装置１に上りリンクグラントで予め通知した伝送または原符号化率で復号を行い、復号した上りリンクデータと、上りリンク制御情報を上位層処理部１０１へ出力する。ＰＳＣＨが再送信の場合は、復号化部３０５１は、上位層処理部３０１から入力されるＨＡＲＱバッファに保持している符号化ビットと、復調された符号化ビットを用いて復号を行う。測定部３０９は、多重分離部３０５５から入力された上りリンク参照信号から伝搬路の推定値、チャネルの品質などを測定し、多重分離部３０５５および上位層処理部３０１に出力する。
【０１７７】
送信部３０７は、制御部３０３から入力された制御信号に従って、下りリンク参照信号を生成し、上位層処理部３０１から入力された下りリンク制御情報、下りリンクデータを符号化、および変調し、ＰＣＣＨ、ＰＳＣＨ、および下りリンク参照信号を多重または別々の無線リソースで、送受信アンテナ３０９を介して端末装置１に信号を送信する。
【０１７８】
符号化部３０７１は、上位層処理部３０１から入力された下りリンク制御情報、および下りリンクデータを符号化する。変調部３０７３は、符号化部３０７１から入力された符号化ビットをＢＰＳＫ、ＱＰＳＫ、１６ＱＡＭ、６４ＱＡＭ、２５６ＱＡＭ等の変調方式で変調する。
【０１７９】
下りリンク参照信号生成部３０７９は、基地局装置３を識別するための物理セル識別子（ＰＣＩ）などを基に予め定められた規則で求まる、端末装置１が既知の系列を下りリンク参照信号として生成する。
【０１８０】
多重部３０７５は、空間多重されるＰＳＣＨのレイヤーの数に応じて、１つのＰＳＣＨで送信される１つまたは複数の下りリンクデータを、１つまたは複数のレイヤーにマッピングし、該１つまたは複数のレイヤーに対してプレコーディング（precoding）を行う。
多重部３７５は、下りリンク物理チャネルの信号と下りリンク参照信号を送信アンテナポート毎に多重する。多重部３７５は、送信アンテナポート毎に、下りリンク物理チャネルの信号と下りリンク参照信号をリソースエレメントに配置する。
【０１８１】
無線送信部３０７７は、多重された変調シンボルなどを逆高速フーリエ変換（Inverse Fast Fourier Transform: IFFT）して、ＯＦＤＭ方式の変調を行い、ＯＦＤＭ変調されたＯＦＤＭシンボルにガードインターバルを付加し、ベースバンドのディジタル信号を生成
し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ３０９に出力して送信する。
【０１８２】
（１）より具体的には、本発明の第１の態様における端末装置１は、基地局装置と通信する端末装置であって、１つまたは複数の第１の設定を含む第１の情報を受信し、１つまたは複数の第２の設定を含む第２の情報を受信し、１つまたは複数の第３の設定を含む第３の情報を受信し、第４の情報を受信する受信部と、チャネル状態情報を測定するチャネル状態測定部と、前記チャネル状態情報を報告する送信部と、を備え、前記第１の設定は、前記チャネル状態情報の１つまたは複数の報告のための設定であり、前記１つまたは複数の報告のための設定のそれぞれは、１つの第１のインデックスを含み、前記第２の設定は、前記チャネル状態情報を測定するための１つまたは複数の参照信号に関する設定であり、前記１つまたは複数の参照信号に関する設定のそれぞれは、１つの第２のインデックスを含み、前記第３の設定は、前記第１のインデックスのうち１つのインデックスと、前記第２のインデックスのうち１つのインデックスと、１つの第３のインデックスと、を含み、前記第４の情報は、前記第３のインデックスの１つまたは複数を示す情報を含む。
【０１８３】
（２）上記の第１の態様において、前記第４の情報に含まれる１つまたは複数の前記第３のインデックスに基づいて１つまたは複数の前記第３の設定を特定し、前記特定された１つまた複数の前記第３の設定に基づいて１つまたは複数の第１の設定と１つまたは複数の前記第２の設定を特定し、前記特定された１つまたは複数の第１の設定と１つまたは複数の前記第２の設定に基づいて１つまたは複数のチャネル状態情報報告を送信する。
【０１８４】
（３）上記の第１の態様において、前記１つまたは複数のチャネル状態情報報告は、物理層における手続きで送信される。
【０１８５】
（４）上記の第１の態様において、前記送信部は、前記チャネル状態情報に前記第３のインデックスの１つを含んで送信する。
【０１８６】
（５）上記の第１の態様において、前記受信部は、さらに１つまたは複数の第４の設定を含む第５の情報を受信し、第６の情報を受信し、前記第４の設定は、前記チャネル状態情報を測定するための１つまたは複数の干渉測定リソースに関する設定であり、前記１つまたは複数の干渉測定リソースに関する設定のそれぞれは、１つの第４のインデックスを含み、前記第３の設定は、さらに前記第４のインデックスのうち１つのインデックスと、を含む。
【０１８７】
（６）本発明の第２の態様における基地局装置３は、端末装置と通信する基地局装置であって、１つまたは複数の第１の設定を含む第１の情報を送信し、１つまたは複数の第２の設定を含む第２の情報を送信し、１つまたは複数の第３の設定を含む第３の情報を送信し、第４の情報を送信する送信部と、チャネル状態情報を受信するチャネル受信部と、を備え、前記第１の設定は、前記チャネル状態情報の１つまたは複数の報告のための設定であり、前記１つまたは複数の報告のための設定のそれぞれは、１つの第１のインデックスを含み、前記第２の設定は、前記チャネル状態情報を測定するための１つまたは複数の参照信号に関する設定であり、前記１つまたは複数の参照信号に関する設定のそれぞれは、１つの第２のインデックスを含み、前記第３の設定は、前記第１のインデックスのうち１つのインデックスと、前記第２のインデックスのうち１つのインデックスと、１つの第３のインデックスと、を含み、前記第４の情報は、前記第３のインデックスの１つまたは複数を示す情報を含む。
【０１８８】
（７）上記の第２の態様において、前記第４の情報に含まれる１つまたは複数の前記第３のインデックスに基づいて１つまたは複数の前記第３の設定に基づく１つまたは複数のチャネル状態情報報告を受信する。
【０１８９】
（８）上記の第２の態様において、前記１つまたは複数のチャネル状態情報報告は、物理層における手続きで受信される。
【０１９０】
（９）上記の第２の態様において、前記チャネル状態情報は、前記第３のインデックスの１つを含む。
【０１９１】
（１０）上記の第２の態様において、前記送信部は、さらに１つまたは複数の第４の設定を含む第５の情報と、第６の情報を送信し、前記第４の設定は、前記チャネル状態情報を測定するための１つまたは複数の干渉測定リソースに関する設定であり、前記１つまたは複数の干渉測定リソースに関する設定のそれぞれは、１つの第３のインデックスを含み、前記第３の設定は、さらに前記第４インデックスのうちの１つのインデックスと、を含む。
【０１９２】
（１１）本発明の第３の態様における通信方法は、基地局装置と通信する端末装置の通信方法であって、１つまたは複数の第１の設定を含む第１の情報を受信し、１つまたは複数の第２の設定を含む第２の情報を受信し、１つまたは複数の第３の設定を含む第３の情報を受信し、第４の情報を受信し、チャネル状態情報を測定し、前記チャネル状態情報を報告し、前記第１の設定は、前記チャネル状態情報の１つまたは複数の報告のための設定であり、前記１つまたは複数の報告のための設定のそれぞれは、１つの第１のインデックスを含み、前記第２の設定は、前記チャネル状態情報を測定するための１つまたは複数の参照信号に関する設定であり、前記１つまたは複数の参照信号に関する設定のそれぞれは、１つの第２のインデックスを含み、前記第３の設定は、前記第１のインデックスのうち１つのインデックスと、前記第２のインデックスのうち１つのインデックスと、１つの第３のインデックスと、を含み、前記第４の情報は、前記第３のインデックスの１つまたは複数を示す情報を含む。
【０１９３】
（１２）本発明の第４の態様における通信方法は、端末装置と通信する基地局装置の通信方法であって、１つまたは複数の第１の設定を含む第１の情報を送信し、１つまたは複数の第２の設定を含む第２の情報を送信し、１つまたは複数の第３の設定を含む第３の情報を送信し、第４の情報を送信し、チャネル状態情報を受信し、前記第１の設定は、前記チャネル状態情報の１つまたは複数の報告のための設定であり、前記１つまたは複数の報告のための設定のそれぞれは、１つの第１のインデックスを含み、前記第２の設定は、前記チャネル状態情報を測定するための１つまたは複数の参照信号に関する設定であり、前記１つまたは複数の参照信号に関する設定のそれぞれは、１つの第２のインデックスを含み、前記第３の設定は、前記第１のインデックスのうち１つのインデックスと、前記第２のインデックスのうち１つのインデックスと、１つの第３のインデックスと、を含み、前記第４の情報は、前記第３のインデックスの１つまたは複数を示す情報を含む。
【０１９４】
（１３）本発明の第５の態様における集積回路は、基地局装置と通信する端末装置に実装される集積回路であって、１つまたは複数の第１の設定を含む第１の情報を受信し、１つまたは複数の第２の設定を含む第２の情報を受信し、１つまたは複数の第３の設定を含む第３の情報を受信し、第４の情報を受信する受信手段と、チャネル状態情報を測定するチャネル状態測定手段と、前記チャネル状態情報を報告する送信手段と、を備え、前記第１の設定は、前記チャネル状態情報の１つまたは複数の報告のための設定であり、前記１つまたは複数の報告のための設定のそれぞれは、１つの第１のインデックスを含み、前記第２の設定は、前記チャネル状態情報を測定するための１つまたは複数の参照信号に関す
る設定であり、前記１つまたは複数の参照信号に関する設定のそれぞれは、１つの第２のインデックスを含み、前記第３の設定は、前記第１のインデックスのうち１つのインデックスと、前記第２のインデックスのうち１つのインデックスと、１つの第３のインデックスと、を含み、前記第４の情報は、前記第３のインデックスの１つまたは複数を示す情報を含む。
【０１９５】
（１４）本発明の第６の態様における集積回路は、端末装置と通信する基地局装置に実装される集積回路であって、１つまたは複数の第１の設定を含む第１の情報を送信し、１つまたは複数の第２の設定を含む第２の情報を送信し、１つまたは複数の第３の設定を含む第３の情報を送信し、第４の情報を送信する送信手段と、チャネル状態情報を受信するチャネル受信手段と、を備え、前記第１の設定は、前記チャネル状態情報の１つまたは複数の報告のための設定であり、前記１つまたは複数の報告のための設定のそれぞれは、１つの第１のインデックスを含み、前記第２の設定は、前記チャネル状態情報を測定するための１つまたは複数の参照信号に関する設定であり、前記１つまたは複数の参照信号に関する設定のそれぞれは、１つの第２のインデックスを含み、前記第３の設定は、前記第１のインデックスのうち１つのインデックスと、前記第２のインデックスのうち１つのインデックスと、１つの第３のインデックスと、を含み、前記第４の情報は、前記第３のインデックスの１つまたは複数を示す情報を含む。
【０１９６】
本発明に関わる装置で動作するプログラムは、本発明に関わる実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、一時的にＲａｎｄｏｍ  Ａｃｃｅｓｓ  Ｍｅｍｏｒｙ（ＲＡＭ）などの揮発性メモリあるいはフラッシュメモリなどの不揮発性メモリやＨａｒｄ  Ｄｉｓｋ  Ｄｒｉｖｅ（ＨＤＤ）、あるいはその他の記憶装置システムに格納される。
【０１９７】
尚、本発明に関わる実施形態の機能を実現するためのプログラムをコンピュータが読み取り可能な記録媒体に記録しても良い。この記録媒体に記録されたプログラムをコンピュータシステムに読み込ませ、実行することによって実現しても良い。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体、短時間動的にプログラムを保持する媒体、あるいはコンピュータが読み取り可能なその他の記録媒体であっても良い。
【０１９８】
また、上述した実施形態に用いた装置の各機能ブロック、または諸特徴は、電気回路、たとえば、集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、従来型のプロセッサ、コントローラ、マイクロコントローラ、またはステートマシンであっても良い。前述した電気回路は、ディジタル回路で構成されていてもよいし、アナログ回路で構成されていてもよい。また、半導体技術の進歩により現在の集積回路に代替する集積回路化の技術が出現した場合、本発明の一又は複数の態様は当該技術による新たな集積回路を用いることも可能である。
【０１９９】
なお、本願発明は上述の実施形態に限定されるものではない。実施形態では、装置の一例を記載したが、本願発明は、これに限定されるものではなく、屋内外に設置される据え
置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０２００】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０２０１】
１（１Ａ、１Ｂ、１Ｃ）  端末装置
３  基地局装置
１０  ＴＸＲＵ
１１  位相シフタ
１２  アンテナ
１０１  上位層処理部
１０３  制御部
１０５  受信部
１０７  送信部
１０９  アンテナ
３０１  上位層処理部
３０３  制御部
３０５  受信部
３０７  送信部
１０１３  スケジューリング情報解釈部
１０１５  チャネル状態情報報告制御部
１０５１  復号化部
１０５３  復号部
１０５５  多重分離部
１０５７  無線受信部
１０５９  測定部
１０７１  符号化部
１０７３  変調部
１０７５  多重部
１０７７  無線送信部
１０７９  上りリンク参照信号生成部
３０１１  無線リソース制御部
３０１３  スケジューリング部
３０１５  チャネル状態情報報告制御部
３０５１  復号化部
３０５３  復号部
３０５５  多重分離部
３０５７  無線受信部
３０５９  測定部
３０７１  符号化部
３０７３  変調部
３０７５  多重部
３０７７  無線送信部
３０７９  下りリンク参照信号生成部
【図１】
2020031249.tif 000003
【図２】
2020031249.tif 000004
【図３】
2020031249.tif 000005
【図４】
2020031249.tif 000006
【図５】
2020031249.tif 000007
【図６】
2020031249.tif 000008
【図７】
2020031249.tif 000009